(57)【要約】【課題】テレビジョン放送コンテンツの視聴に関する各種機能を簡単な操作で実行可能にする。【解決手段】  実施形態によれば、放送中のコンテンツを受信して出力すると共に前記コンテンツを録画して再生した録画コンテンツを出力可能なレコーダから、前記放送中のコンテンツ及び録画コンテンツをダウンロードする通信部と、前記通信部を経由してメモリに記録された前記録画コンテンツを前記メモリから読み出して再生する持ち出し番組視聴モードと前記通信部を経由して前記放送中のコンテンツをストリーミング再生するリアルタイム視聴モードとに設定可能で、前記通信部と前記レコーダとが同一ネットワークに属する場合には前記リアルタイム視聴モードを設定し、前記通信部と前記レコーダとが相互に異なるネットワークに属する場合には前記持ち出し番組視聴モードを設定する制御部とを具備する。【選択図】図１
2018137629.tif 000002
【特許請求の範囲】
【請求項１】
放送中のコンテンツを受信して出力すると共に前記コンテンツを録画して再生した録画コンテンツを出力可能なレコーダから、前記放送中のコンテンツ及び録画コンテンツをダウンロードする通信部と、
前記通信部を経由してメモリに記録された前記録画コンテンツを前記メモリから読み出して再生する持ち出し番組視聴モードと前記通信部を経由して前記放送中のコンテンツをストリーミング再生するリアルタイム視聴モードとに設定可能で、前記通信部と前記レコーダとが同一ネットワークに属する場合には前記リアルタイム視聴モードを設定し、前記通信部と前記レコーダとが相互に異なるネットワークに属する場合には前記持ち出し番組視聴モードを設定する制御部と
を具備する情報端末装置。
【請求項２】
前記制御部は、前記通信部を経由して前記録画コンテンツをストリーミング再生する録画番組視聴モードを設定可能である
請求項１に記載の情報端末装置。
【請求項３】
前記制御部は、前記リアルタイム視聴モード、前記録画番組視聴モード及び前記持ち出し番組視聴モードにおいて、前記コンテンツに基づく表示エリアと前記コンテンツのリストを表示するコンテンツリストエリアとを有する画面を表示する
請求項２に記載の情報端末装置。
【請求項４】
前記制御部は、前記リアルタイム視聴モード、前記録画番組視聴モード及び前記持ち出し番組視聴モードにおける前記画面上のタップ操作によって、前記リアルタイム視聴モード、前記録画番組視聴モード及び前記持ち出し番組視聴モード相互間でモードを切換え可能である
請求項３に記載の情報端末装置。
【請求項５】
前記制御部は、前記表示エリアに対するスワイプ操作によって、表示するコンテンツを切換える
請求項３に記載の情報端末装置。
【請求項６】
前記制御部は、前記リアルタイム視聴モード、前記録画番組視聴モード及び前記持ち出し番組視聴モードにおける前記画面上のタップ操作によってリモコンモードに遷移して、前記レコーダからのコンテンツの出力先をモニタに設定すると共に、前記レコーダの操作を行うためのリモコン画面を表示する
請求項３に記載の情報端末装置。
【請求項７】
通話機能部を有し、
前記制御部は、前記リモコンモード時に、前記通話機能部による通話が発生すると、前記モニタの音声をミュートするためのコマンドを送信する
請求項６に記載の情報端末装置。
【請求項８】
放送中のコンテンツを受信する受信部と、
前記コンテンツを録画して再生した録画コンテンツを出力する録画再生部と、
登録された情報端末からの要求に従って、所定のネットワークを介して前記放送中のコンテンツ又は前記録画コンテンツを送信する送信部と
を具備するレコーダ。
【請求項９】
前記制御部は、起動時に前記設定をする
請求項１に記載の情報端末装置。
【請求項１０】
コンピュータに、
レコーダから放送中のコンテンツ及び録画コンテンツをダウンロードする通信部と前記レコーダとが同一ネットワークに属するか否かを判定する手順と、
前記通信部と前記レコーダとが同一ネットワークに属する場合には、前記通信部を経由して前記放送中のコンテンツをストリーミング再生するリアルタイム視聴モードを設定する手順と、
前記通信部と前記レコーダとが同一ネットワークに属しない場合には、前記通信部を経由してメモリに記録された前記録画コンテンツを前記メモリから読み出して再生する持ち出し番組視聴モードを設定する手順と
を実行させるためのコンテンツ視聴プログラム。
【発明の詳細な説明】
【技術分野】
【０００１】
本発明の実施形態は、情報端末装置、レコーダ及びコンテンツ視聴プログラムに関する。
【背景技術】
【０００２】
従来、地上デジタル放送、ＢＳ／ＣＳデジタル放送が運用され、デジタル放送の番組を視聴するテレビジョン受信機、デジタル放送の番組を記録するレコーダが商品化されている。デジタル放送では、電子番組表（ＥＰＧ（Electronic Program Guide））の仕組みが備えられている。このＥＰＧを利用して、放送予定の番組表（未来番組表）、録画した過去の番組の番組表（過去番組表）を生成して表示することで、多くの番組の中から希望する番組を簡単に選択することができるようになっている。
【０００３】
更に近年、高速ネットワークに対応し高速での画像処理が可能なスマートフォンやタブレット端末等の携帯端末が普及してきており、この携帯端末において、ネットワーク経由で転送・配信された番組を表示させて視聴することもできるようになっている。また、このような携帯端末を、テレビジョン受信機を操作するリモコン（リモートコントローラ）として利用する技術も開発されている。
【０００４】
しかしながら、現在テレビジョン放送により放送中の番組、録画した番組、携帯端末に保存している番組等について、統一されたインタフェースで横断的に操作・表示できる装置は開発されていない。また、テレビジョン受信機のモニタと携帯端末のモニタとの両方を用いて、表示の切り換えや再生操作等を簡単にできる装置も開発されていない。
【０００５】
このように、従来、テレビジョン放送コンテンツの視聴に関する各種機能を簡単な操作で実行できるようにした装置は開発されていない。
【先行技術文献】
【特許文献】
【０００６】
【特許文献１】特許第５９７３８７８号公報
【特許文献２】特開２０１３−１０１６３１号公報
【特許文献３】国際公開２０１６−１０３５１８号公報
【特許文献４】国際公開２０１６−００９４９９号公報
【発明の概要】
【発明が解決しようとする課題】
【０００７】
本発明は、テレビジョン放送コンテンツの視聴に関する各種機能を簡単な操作で実行することができる情報端末装置、レコーダ及びコンテンツ視聴プログラムを提供することを目的とする。
【課題を解決するための手段】
【０００８】
本発明の実施形態に係る情報端末装置は、放送中のコンテンツを受信して出力すると共に前記コンテンツを録画して再生した録画コンテンツを出力可能なレコーダから、前記放送中のコンテンツ及び録画コンテンツをダウンロードする通信部と、前記通信部を経由してメモリに記録された前記録画コンテンツを前記メモリから読み出して再生する持ち出し番組視聴モードと前記通信部を経由して前記放送中のコンテンツをストリーミング再生するリアルタイム視聴モードとに設定可能で、前記通信部と前記レコーダとが同一ネットワークに属する場合には前記リアルタイム視聴モードを設定し、前記通信部と前記レコーダとが相互に異なるネットワークに属する場合には前記持ち出し番組視聴モードを設定する制御部とを具備する。
【図面の簡単な説明】
【０００９】
【図１】本発明の一実施の形態に係る情報端末装置を示すブロック図。
【図２】番組サーバとして機能するレコーダの構成を示すブロック図。
【図３】本実施の形態における情報端末装置及びレコーダにより構成されるシステムを説明するための説明図。
【図４】各モードへの遷移の関係を示す状態遷移図。
【図５Ａ】各モードへの遷移を可能にする遷移処理を示すフローチャート。
【図５Ｂ】各モードへの遷移を可能にする遷移処理を示すフローチャート。
【図６】図５ＡのステップＳ２の宅内判定における具体的な判定処理の一例を示すフローチャート。
【図７】視聴モード開始から終了までの一連の処理の一例を示すフローチャート。
【図８】図７のステップＳ１０３の画面生成処理の一例を示すフローチャート。
【図９】図８のステップＳ１１１における表示設定情報の更新処理の一例を示すフローチャート。
【図１０】図７のステップＳ１０５のデータ送信・要求判定処理の一例を示すフローチャート。
【図１１】リアルタイム視聴モードにおける画面表示の表示例を示す説明図。
【図１２】リアルタイム視聴モードにおける画面表示の表示例を示す説明図。
【図１３】リアルタイム視聴モードにおける画面表示の表示例を示す説明図。
【図１４】リアルタイム視聴モードにおける画面表示の表示例を示す説明図。
【図１５】リアルタイム視聴モードにおける画面表示の表示例を示す説明図。
【図１６】図８のステップＳ１１１の表示設定情報の更新処理の録画番組視聴モードの例を示すフローチャート。
【図１７】図７のステップＳ１０５のデータ送信・要求判定処理の録画番組視聴モードの例を示すフローチャート。
【図１８】図７のステップＳ１０５のデータ送信・要求判定処理の録画番組視聴モードの例を示すフローチャート。
【図１９】録画番組視聴モードにおける画面表示を説明するための説明図。
【図２０】録画番組視聴モードにおける画面表示を説明するための説明図。
【図２１】録画番組視聴モードにおける画面表示を説明するための説明図。
【図２２】録画番組視聴モードにおける画面表示を説明するための説明図。
【図２３】録画番組視聴モードにおける画面表示を説明するための説明図。
【図２４】図８のステップＳ１１１の表示設定情報の更新処理の持ち出しモードの例を示すフローチャートである。
【図２５】図７のステップＳ１０５のデータ送信・要求判定処理の持ち出しモードの例を示すフローチャートである。
【図２６】持ち出し番組視聴モードの画面表示を説明するための説明図。
【図２７】持ち出し番組視聴モードの画面表示を説明するための説明図。
【図２８】持ち出し番組視聴モードの画面表示を説明するための説明図。
【図２９】リモコンモードを説明するためのフローチャート。
【図３０】リモコンモードにおける画面表示を説明するための説明図。
【図３１】予約モードを説明するための説明図。
【図３２Ａ】予約モードを説明するための説明図。
【図３２Ｂ】予約モードを説明するための説明図。
【図３３】予約モードを説明するための説明図。
【図３４】メニューモードにおける画面（メニュー画面）６００を示す説明図。
【図３５】自動持ち出しモードを説明するためのフローチャート。
【図３６】自動持ち出しモードを説明するためのフローチャート。
【図３７】レジューム処理を説明するためのフローチャート。
【発明を実施するための形態】
【００１０】
以下、図面を参照して本発明の実施形態について詳細に説明する。
【００１１】
図１は本発明の一実施の形態に係る情報端末装置を示すブロック図である。また、図２は番組サーバとして機能するレコーダの構成を示すブロック図である。本実施の形態は、情報端末装置とレコーダとを協働して動作させることにより、情報端末装置において、テレビジョン放送の各視聴態様、即ちリアルタイムでの視聴、録画番組の視聴及び持ち出し番組の視聴を、統一されたインタフェースを用いて簡単な操作で切換えながら視聴可能にするものである。更に、情報端末装置とテレビジョン受信機との連携表示を可能にすることで、携帯性に優れた情報端末装置と大画面を有するテレビジョン受信機のそれぞれの利便性を併せ持ったシステムを構築することが可能となる。
【００１２】
図３は本実施の形態における情報端末装置及びレコーダにより構成されるシステムを説明するための説明図である。図３において、宅内５１にはレコーダ３０、テレビジョン受信機５２及び宅内ルータ５３が配設されている。レコーダ３０とテレビジョン受信機５２とは、有線又は無線により通信可能である。レコーダ３０及び宅内ルータ５３は無線ＬＡＮ機能を備えており、レコーダ３０と宅内ルータ５３とは無線ＬＡＮによって接続可能である。本実施の形態における情報端末装置１０は、後述するように無線ＬＡＮ機能を備えており、宅内ルータ５３との間で無線ＬＡＮにより通信することができると共に、レコーダ３０との間で無線ＬＡＮにより通信が可能である。なお、情報端末装置１０が宅内ルータ５３及びレコーダ３０との間で行う通信は、例えば、ＷｉＦｉ（登録商標）を用いたものであり、宅内５１内においてのみ通信が可能である。宅内ルータ５３は所定の伝送路を介してインターネット５６に接続可能である。
【００１３】
情報端末装置１０は、宅外５５においても使用することができ、破線に示すように、情報端末装置１０が宅外５５に位置する場合には、情報端末装置１０は電話回線網を利用してインターネット５６に接続可能である。インターネット５６を利用することで、情報端末装置１０は、インターネット５６、宅内ルータ５３を介してレコーダ３０との間で通信を行うこともできるようになっている。
【００１４】
図１の情報端末装置１０としては、例えばスマートフォンやタブレット端末を採用することができる。情報端末装置１０には制御部１１が設けられている。制御部１１は、情報端末装置１０の各部を制御する。制御部１１は、ＣＰＵ等を用いたプロセッサによって構成されて、メモリ１２に記憶されたプログラムに従って動作して各部を制御するものであってもよい。メモリ１２としては、例えばフラッシュメモリを採用することができ、メモリ１２はプログラムや各種データを記憶する。
【００１５】
情報端末装置１０は、通信部１３を有している。通信部１３は、ＷｉＦｉ等の無線ＬＡＮによる高速通信が可能である。また、通信部１３は、電話回線網を介して情報通信を行うこともできるようになっている。
【００１６】
アンテナ１４は、ＬＴＥ回線や３Ｇ回線等の電話回線網との間で無線電波によるデータの送受信が可能であると共に、IEEE802.11a/b/n規格等の無線ＬＡＮ回線との間で無線電波によるデータの送受信が可能である。通信部１３は、制御部１１に制御されて、制御部１１からの送信データをアンテナ１４から送信させると共に、アンテナ１４を介して受信した受信データを制御部１１に供給することができるようになっている。
【００１７】
情報端末装置１０には表示制御部１５が設けられている。表示制御部１５は、制御部１１に制御されて、表示に関する各種処理を実行する。表示制御部１５は、制御部１１からの表示用データに基づく画像をＬＣＤ（液晶ディスプレイ）１６に与えて表示させることができる。なお、画像を表示する表示部は、ＬＣＤ１６に限定されることなく、有機ＥＬディスプレイ等であってもよい。ＬＣＤ１６は、表示画面上に表示用データに基づく画像を表示する。例えば、表示制御部１５は、後述するように、各種メニュー表示や、テレビジョン放送のコンテンツやコンテンツリスト等をＬＣＤ１６の表示画面に表示させることもできるようになっている。
【００１８】
情報端末装置１０の音声制御部１７は、制御部１１に制御されて、音響出力に関する各種処理を実行する。音声制御部１７は、制御部１１からの音声データに基づく音声信号をスピーカ１８に与えて音響出力させることができる。スピーカ１８は、音声信号に基づく音響を出力する。
【００１９】
情報端末装置１０の撮像制御部１９は、制御部１１に制御されて、撮像部２０を駆動する。撮像部２０は、ＣＭＯＳセンサ等の図示しない撮像素子が設けられており、被写体光学像を光電変換して撮像画像を得る。制御部１１は、撮像制御部１９を介して撮像画像が与えられ、所定の画像信号処理を施した後、表示制御部１５に与えてＬＣＤ１６の表示画面上に表示させることができると共に、撮像画像を例えばＪＰＥＧ形式で圧縮してメモリ１２に与えて記録することができる。また、制御部１１は、メモリ１２に記録されている撮像画像を読み出して伸張処理することができる。表示制御部１５は伸張処理された撮像画像をＬＣＤ１６に与えることで、記録画像の再生が可能である。
【００２０】
情報端末装置１０の周辺デバイス制御部２１は、制御部１１に制御されて、周辺デバイス２２を駆動する。周辺デバイス２２としては、例えば、図示しないブルートゥース（登録商標）送受信機、ＧＰＳ（Global Positioning System）受信機、各種センサ、ＵＳＢ（Universal Serial Bus）インタフェース、メモリデバイス等を採用することができる。なお、周辺デバイス２２には、傾きセンサ、加速度センサ、ジャイロセンサ等によって構成される姿勢判定部２２ａが設けられている。姿勢判定部２２ａは、情報端末装置１０の姿勢を判定して判定結果を制御部１１に供給することができるようになっている。例えば、姿勢判定部２２ａは、情報端末装置１０が縦配置（縦向き）か横配置（横向き）かを判定して判定結果を制御部１１に供給する。なお、情報端末装置１０が縦配置（縦向き）のときにはＬＣＤ１６の画面の向きも縦配置（縦向き）であり、横配置（横向き）のときにはＬＣＤ１６の画面の向きも横配置（横向き）であるものとして以下説明する。また、制御部１１は、通信部１３に代えて、周辺デバイス２２であるＵＳＢインタフェースを介して、各種データをレコーダ３０との間で授受するようにしてもよい。
【００２１】
ＬＣＤ１６の表示画面上には、タッチパネル１６ａが設けられている。タッチパネル１６ａは、ユーザが指で指し示した表示画面上の位置に応じた操作信号を発生することができる。この操作信号は、制御部１１に供給される。これにより、制御部１１は、ユーザが表示画面上をタッチ、タップ、スワイプ、スライド、ピンチ操作を行った場合には、これらの操作及び操作位置を検出することができ、ユーザ操作に対応した処理を実行することができるようになっている。
【００２２】
本実施の形態においては、メモリ１２には、テレビジョン放送の各種視聴態様を簡単な操作で切換えながら、ＬＣＤ１６の表示画面上又はテレビジョン受信機５２のモニタ画面上に表示させるためのコンテンツ視聴アプリケーションプログラム（以下、単にアプリケーションという）が格納されている。制御部１１は、このアプリケーションを実行することにより、後述するリアルタイム視聴モード、録画番組視聴モード、持ち出し番組視聴モード（以下、持ち出しモードともいう）、リモコンモード、検索モード、メニューモード及び予約モードの各動作モードで情報端末装置１０を動作させることができるようになっている。
（各モードの概要）
リアルタイム視聴モードにおいて、制御部１１は、メモリ１２に記憶されたリアルタイム設定情報に基づいて、レコーダ３０から現在放送中のコンテンツに関する情報（以下、コンテンツ情報という）を取得する。なお、コンテンツ情報は、放送コンテンツの内容表示（画像表示）の情報及び放送コンテンツに付随する各種情報を含む。制御部１１は、ＬＣＤ１６の表示画面上に、現在放送中の複数のチャンネルのコンテンツから選択したコンテンツの内容（映像および音声）及び現在放送中の各コンテンツのリストを表示させることができる。
【００２３】
リアルタイム視聴モードにおいては、制御部１１は、レコーダ３０からのコンテンツをストリーミング再生するようになっており、レコーダ３０に対してストリーミング再生に必要なデータの送信を要求するようになっている。また、レコーダ３０において、予約録画又は記録しながら再生が可能なタイムシフト録画が行われているコンテンツについては、リアルタイム視聴モードにおいてもタイムシフト再生が可能である。
【００２４】
なお、制御部１１は、レコーダ３０から受信したコンテンツ情報をメモリ１２に順次記憶させるようになっていてもよい。この場合には、メモリ１２に記憶されている範囲においてメモリ１２に記憶されたコンテンツによるタイムシフト再生が可能である。
【００２５】
録画番組視聴モードにおいて、制御部１１は、メモリ１２に記憶された録画設定情報に基づいて、レコーダ３０に録画されているコンテンツ情報を取得し、ＬＣＤ１６の表示画面上に、録画されているコンテンツから選択したコンテンツの内容（映像および音声）及び録画されているコンテンツのリストを表示させることができる。
【００２６】
録画番組視聴モードにおいても、制御部１１は、レコーダ３０からのコンテンツをストリーミング再生するようになっており、レコーダ３０に対してストリーミング再生に必要なデータの送信を要求するようになっている。
【００２７】
持ち出し番組視聴モードにおいて、制御部１１は、メモリ１２に記憶された持ち出し設定情報に基づいて、メモリ１２に記録されている持ち出しコンテンツ情報を取得し、ＬＣＤ１６の表示画面上に、記録されているコンテンツから選択したコンテンツの内容（映像および音声）及び記録されているコンテンツのリストを表示させることができる。
【００２８】
持ち出し番組視聴モードにおいては、外出する前の自宅にいるときに予めメモリ１２に持ち出しコンテンツ情報を記憶させておく必要があり、制御部１１は、事前にレコーダ３０に対して持ち出しコンテンツ情報の転送を要求することができるようになっている。
【００２９】
リモコンモードにおいて、制御部１１は、メモリ１２に記憶されたリモコン設定情報に基づいて、レコーダ３０からコンテンツ情報をテレビジョン受信機５２に送信させ、テレビジョン受信機５２に、レコーダ３０からのコンテンツの内容（映像および音声）を表示させると共に、情報端末装置１０をレコーダ３０及びテレビジョン受信機５２のリモコン装置として機能させる操作ボタン等を表示させることができる。リモコンモードでは、制御部１１は、表示画面上のタッチパネル１６ａに対するユーザ操作に応じてレコーダ３０及びテレビジョン受信機５２を制御するためのコマンドを発生してそれぞれレコーダ３０又はテレビジョン受信機５２に送信するようになっている。また、制御部１１は、電話機能等の機能使用時においては、テレビジョン受信機５２に対して、音声ミュートを指示するコマンド送信を行うようになっている。
【００３０】
検索モードにおいて、制御部１１は、メモリ１２に記憶された検索設定情報に基づいて、レコーダ３０に記録されている検索情報を取得し、ＬＣＤ１６の表示画面上に、検索情報に基づく検索結果を示す画面を表示させ、ユーザのコンテンツの検索を容易にすることができる。
【００３１】
メニューモードにおいて、制御部１１は、メモリ１２に記憶されたメニュー設定情報に基づいて、各動作モード、アカウント設定モード及び各種設定モードを選択するメニュー表示を表示させ、ユーザが選択したモードを実行することができる。なお、制御部１１は、アカウント設定モードにおいて、ユーザ操作に基づいて、ユーザアカウントの設定を行い、設定モードにおいて、ユーザ操作に基づいて、連携するレコーダ３０に関する設定を行うようになっている。
【００３２】
予約モードにおいて、制御部１１は、メモリ１２に記憶された予約設定情報に基づいて、レコーダ３０から放送予定のコンテンツのコンテンツリストを取得し、ＬＣＤ１６の表示画面上に、コンテンツリストを表示させて録画予約するコンテンツを選択させて、この選択したコンテンツを録画予約させるための予約情報をレコーダ３０に送信させることができる。
【００３３】
リアルタイム視聴モード、録画番組視聴モード及び持ち出し番組視聴モード（以下、これらを合わせて視聴モードという）においては、制御部１１は、コンテンツ情報及び各視聴モードの設定情報中の表示設定情報に基づいて画面生成を行う。なお、制御部１１は、姿勢判定部２２ａの判定結果によって縦配置が示された場合と横配置が示された場合とで、異なる表示設定情報を採用するようになっている。リアルタイム視聴モード及び録画番組視聴モード時には、制御部１１は、レコーダ３０からコンテンツ情報を受信して画面生成を行い、持ち出し番組視聴モード時には、制御部１１は、メモリ１２に記憶されているコンテンツ情報を読み出して画面生成を行うようになっている。
【００３４】
また、制御部１１は、ユーザ毎及びコンテンツ毎に最終再生位置の情報を含む端末レジューム情報を生成してメモリ１２に記憶させるようになっている。なお、ユーザ毎及びコンテンツ毎の端末レジューム情報には、この端末レジューム情報を記録した記録日時の情報も含まれており、制御部１１は、所定のタイミングで、後述するレコーダ３０に記憶されたレコーダレジューム情報と比較して、ユーザ毎及びコンテンツ毎の端末レジューム情報を最新のものに更新する同期処理を行うことができるようになっている。
【００３５】
ところで、このアプリケーションは、レコーダ３０と連携することでコンテンツの視聴を可能にする。アプリケーションにおいて、例えばレコーダ３０を購入していない場合等のように、連携するレコーダ３０の登録が行われていないことが考えられる。そこでこのアプリケーションには、制御部１１がアプリケーションを実行した場合に連携するレコーダ３０が登録されていないことが示された場合には、制御部１１にお試しモードを実行させるように記述されていてもよい。
【００３６】
お試しモードにおいて、制御部１１は、このアプリケーションの紹介映像をメモリ１２から読み出して、表示制御部１５によりＬＣＤ１６の表示画面に表示させるようにしてもよい。この紹介映像においては、各機能の紹介画面をチュートリアル形式で数枚ずつ表示するようになっていてもよい。また、この紹介映像中には、メニューモードにおける設定モードへのリンクを表示させ、ユーザのタップ操作により、制御部１１は設定モードに遷移するようになっていてもよい。
【００３７】
また、お試しモードにおいては、制御部１１は、同一ネットワーク内に連携する機器であるレコーダ３０を検出すると、設定モード開始のポップアップ表示を表示させるようにしてもよい。これにより、ユーザは煩雑な操作を行うこと無く、連携する機器の設定をするための画面を表示させることができる。
【００３８】
次に、図２を参照してレコーダ３０の構成について説明する。
【００３９】
レコーダ３０には制御部３１が設けられている。制御部３１は、レコーダ３０の各部を制御する。制御部３１は、ＣＰＵ等を用いたプロセッサによって構成されて、図示しないメモリに記憶されたプログラムに従って動作して各部を制御するものであってもよい。
【００４０】
レコーダ３０は複数のチューナ３３−１，３３−２，…（以下、代表してチューナ３３という）を有している。チューナ３３は、デジタル放送信号が入力され（図示省略）、入力されたデジタル放送信号の中から所望のチャンネルの放送周波数の信号を選局し、この選局した信号を各々のデジタル放送の変調方式に対応して復調する。例えば、地上デジタル放送の信号はＯＦＤＭ（Orthogonal Frequency Division Multiplexing）復調処理により、衛星デジタル放送の信号はＰＳＫ（Phase Shift Keying）復調処理により復調され、トランスポートストリーム（ＴＳ）形式の復調信号がＴＳ処理部３４に出力される。ＴＳ処理部３４は、トランスポートストリームとして多重化されたストリームから映像ストリームや音声ストリームを分離するほか、各種制御情報を分離し、バス３８に出力する。
【００４１】
また、トランスポートストリームにスクランブルが施されている場合は、ＴＳ処理部３４で分離したＥＣＭを、ＣＡＳ制御部３６を介してカードスロット（カードインタフェースＩ／Ｆ）に装着されたＣＡＳカード（ＩＣカード）３２に転送し、スクランブルを解除するためのスクランブル鍵（Ｋｓ）を得る。この場合、ＴＳ処理部３４では、このスクランブル鍵（Ｋｓ）でトランスポートストリームのパケットごとに施されたスクランブルを解除してからバス３８に出力する。
【００４２】
デスクランブルを解除された放送コンテンツの信号は、バス３８を介してＡＶデコード部３９及び記録再生処理部４２に出力される。記録再生制御部４１によって記録媒体４５に記録する際には、記録再生処理部４２で、入力された放送コンテンツの信号に対して機器固有の鍵で暗号化処理を行い、この暗号化した信号を記録媒体４５に記録するようになっている。
【００４３】
ＡＶデコード部３９は、バス３８を介して入力された放送コンテンツの信号をＡＶ情報（映像および音声）にデコードして出力することができる。また、記録媒体４５に記録されている放送コンテンツの信号を記録再生処理部４２で復号化したのちにＡＶデコード部３９に出力して再生することもできる。
【００４４】
記録再生処理部４２は、記録媒体４５への記録に際して、情報端末装置１０に転送するための持ち出し番組として記録するための記録処理を行うこともできる。生成された持ち出し番組は、記録再生制御部４１によって記録媒体４５に記録される。なお、記録再生処理部４２は、持ち出し番組の作成に際して、コマーシャル部分を削除した状態（以下、ＣＭカット状態という）で記録を行うことができるようになっている。また、記録再生処理部４２は、コンテンツを記録媒体４５に記録しながら同時に再生を行うタイムシフト録画が可能であり、タイムシフト録画では再生位置を自由に変更可能なタイムシフト再生を行うことができる。
【００４５】
記録再生処理部４２は、記録媒体４５からの各コンテンツの再生時に、ユーザ毎及びコンテンツ毎に最終再生位置の情報を含むレコーダレジューム情報を生成して記録媒体４５に記録させるようになっている。なお、レコーダレジューム情報には、レコーダレジューム情報を記録した記録日時の情報も含まれている。
【００４６】
記録媒体４５は、ＨＤＤ、光ディスクディスクドライブ、ＳＤ（登録商標）カード等によって構成することができ、記録再生制御部４１からの放送コンテンツの信号を記録可能に構成されている。なお、記録媒体４５は、レコーダ３０に対して接続される外部機器であってもよい。この場合、記録再生制御部４１からの出力は、ＩＥＥＥ１３９４インタフェース又はＵＳＢインタフェースなどを介して、記録媒体４５へ転送されることになる。
【００４７】
レコーダ３０は、複数のチューナ３３によって複数チャンネルのコンテンツを同時に受信すると共に、記録再生制御部４１によって、受信した複数のチャンネルのコンテンツを同時に記録媒体４５に記録することができるようになっている。
【００４８】
番組データベース処理部３５には、ＴＳ処理部３４からコンテンツを取得するための各種データや電子番組ガイド（ＥＰＧ）情報，番組属性情報（番組ジャンル等）等が与えられる。番組データベース処理部３５は、これら入力された情報に基づいて番組表（現在以降の未来に放送される番組の番組表である未来番組表）の情報を生成することができるようになっている。
【００４９】
更に、番組データベース処理部３５は、記録再生制御部４１によって記録されたコンテンツに関するデータベース（以下、番組データベースという）を生成することができるようになっている。番組データベースは、録画したコンテンツを管理する情報であり、番組タイトルや番組の放送開始日時、終了日時や番組内容等の詳細情報、さらに上記録画の指定条件やユーザから指定情報（番組の自動消去禁止等）の入力項目などの録画コンテンツに関するメタデータを含む。番組データベースは、録画コンテンツの実際の放送日時と記録媒体上の記録位置との対応関係の情報を含んでいる。番組データベース処理部３５は、番組データベースを、記録再生制御部４１を介して記録媒体４５に記録させることができる。番組データベース処理部３５は、番組データベースに基づいて、記録済コンテンツの番組表（過去番組表）の情報を生成することもできるようになっている。
【００５０】
ネットワーク処理部４４は、情報端末装置１０及びテレビジョン受信機５２との間で有線又はＷｉＦｉ等の無線ＬＡＮ回線を介して通信が可能である。ネットワーク処理部４４は、情報端末装置１０及びテレビジョン受信機５２に対してテレビジョン放送のコンテンツ情報を送信すると共に、自機宛の情報を取得することができるようになっている。
【００５１】
本実施の形態においては、レコーダ３０には連携データ処理部４６が設けられている。連携データ処理部４６は、情報端末装置１０との間で連携してテレビジョン放送（記録したものも含む）を視聴可能にするための各種データ処理、データの記録処理及びデータの転送処理を行う。即ち、連携データ処理部４６は、情報端末装置１０における各動作モードに対応したデータ処理を行う。連携データ処理部４６は、情報端末装置１０の各動作モードにおいて送信すべきデータを生成し、モード毎に記録媒体４５に記録するようになっている。
【００５２】
情報端末装置１０のリアルタイム視聴モードに対応したデータ処理として、レコーダ３０の連携データ処理部４６は、情報端末装置１０によってチャンネルを選局させて、この選局されたチャンネルのコンテンツ情報をチューナ３３で取得し、ネットワーク処理部４４を介して情報端末装置１０に送信させることができる。なお、コンテンツ情報はコンテンツの内容（映像および音声）及びコンテンツに付随する情報並びに現在放送中の各チャンネルのコンテンツリストに関する情報、コンテンツが予約録画又はタイムシフト録画されたものであることを示す情報等を含む。
【００５３】
また、リアルタイム視聴モードにおいてタイムシフト再生による再生位置の指定が情報端末装置１０からネットワーク処理部４４を介してあった場合には、レコーダ３０は記録再生処理部４２を制御して、当該指定された再生位置からコンテンツを再生させて、再生データをネットワーク処理部４４から情報端末装置１０に送信させるようになっている。
【００５４】
情報端末装置１０の録画番組視聴モードに対応したデータ処理として、レコーダ３０の番組データベース処理部３５は、記録再生処理部４２が記録したコンテンツに関する過去番組表の情報を記録媒体４５に記録させる。連携データ処理部４６は、録画番組視聴モードにおいて再生指定されたコンテンツ情報を記録媒体４５から取得し、当該コンテンツ情報を情報端末装置１０に送信させる。なお、コンテンツ情報には、過去番組表の情報も含まれる。
【００５５】
リモコンモードに対応したデータ処理として、連携データ処理部４６は、リモコンモードの指定によって、コンテンツ情報の出力先を情報端末装置１０からテレビジョン受信機５２に変更する。また、連携データ処理部４６は、リモコンモードにおいて情報端末装置１０から送信されたコマンドに従って、レコーダ３０の再生動作を制御するようになっている。また、リモコンモードが終了すると、連携データ処理部４６は、コンテンツ情報の出力先をテレビジョン受信機５２から情報端末装置１０に変更する。なお、連携データ処理部４６は、コンテンツ情報の出力先を変更する場合でもコンテンツを連続的に再生して出力することにより、視聴者が連続的にコンテンツを視聴できるようにする。
【００５６】
情報端末装置１０の検索モードに対応したデータ処理として、連携データ処理部４６は、記録再生処理部４２が記録したコンテンツを検索するための各種検索情報を記録媒体４５に記録させる。連携データ処理部４６は、検索モードが指定されると、当該検索情報を情報端末装置１０に送信する。
【００５７】
情報端末装置１０の予約モードに対応したデータ処理として、連携データ処理部４６は、記録再生制御部４１によって未来番組表の情報を記録媒体に記録させる。連携データ処理部４６は、予約モードが指定されると、未来番組表の情報を情報端末装置１０に送信させ、情報端末装置１０からの予約設定情報に基づいてコンテンツの録画予約設定を行う。そして、連携データ処理部４６は、録画予約設定により設定された録画予約設定情報を、記録再生制御部４１を介して記録媒体４５に記録させることができる。記録再生制御部４１は、録画予約設定により設定され、記録媒体４５に記録された録画予約設定情報に基づいて放送されたコンテンツを記録する。
【００５８】
次に、このように構成された実施の形態の動作について図４乃至図３７を参照して説明する。図４は各モードへの遷移の関係を示す状態遷移図である。また、図５Ａ及び図５Ｂは各モードへの遷移を可能にする遷移処理を示すフローチャートである。なお、図５Ａ及び図５Ｂにおいては丸で囲った英字によって、対応する英字同士の処理の連結を示している。
【００５９】
情報端末装置１０のＬＣＤ１６の表示画面上には、コンテンツ視聴アプリケーションプログラムを含む各種プログラムを起動するためのアイコンを表示可能であり（図示省略）、ユーザが目的のアイコンをタップすることによって、目的のプログラムを起動することができる。本実施の形態においては、コンテンツ視聴アプリケーションプログラムを実行することにより、スマートフォン等の情報端末装置１０及びテレビジョン受信機５２において、各種視聴態様での視聴が可能である。本実施の形態においては、簡単な操作で、各視聴モードを含む複数のモードの切換えが行えるようになっている。
【００６０】
先ず、図４を参照して、各モード間の遷移の関係について説明する。
【００６１】
本実施の形態においては、図４に示すように、リアルタイム視聴モード、録画番組視聴モード、持ち出し番組視聴モードの３つあるいずれの視聴モードにおいても、キャストボタン操作によってリモコンモードに遷移することができ、また、リモコンモードからキャストボタン操作によって元の視聴モードに戻ることができる。また、上記した３つあるいずれの視聴モードにおいても、検索ボタン操作によって検索モードに遷移することができ、また、検索の終了操作によって元の視聴モードに戻ることができる。
【００６２】
そして、本実施の形態においては、リアルタイム視聴モードと録画番組視聴モード相互間で遷移可能であり、録画番組視聴モードと持ち出し番組視聴モード相互間でも遷移可能である。
【００６３】
また、メニューモードから各視聴モードを選択する操作によって各視聴モードに遷移することができ、メニューモードから予約モードを選択する操作によって予約モードに遷移することができる。この予約モードでは予約確認リストに加え、後述するリスト形式及び番組表形式の画面を表示することができる。また、各視聴モード及び予約モードからはメニューボタン操作によってメニューモードに遷移することができる。
【００６４】
次に、図５Ａ及び図５Ｂを参照して各モードへの遷移処理について具体的に説明する。なお、各モードの詳細については後述する。
【００６５】
本実施の形態においては、例えばアプリケーションに対応するアイコンのタップ操作によってアプリケーションを実行した直後において、図５Ａに示す遷移処理が実行される。先ず、制御部１１は、ステップＳ１において連携機器が登録されているか否かを判定する。連携機器が登録されていない場合には、お試しモードに移行する。連携機器が登録されている場合には、制御部１１は次のステップＳ２において宅内判定を行う。
【００６６】
図６は図５ＡのステップＳ２の宅内判定における具体的な判定処理の一例を示すフローチャートである。
【００６７】
情報端末装置１０の制御部１１は、通信部１３を制御して、無線ＬＡＮの通信相手を検索する。例えばＷｉＦｉ接続の場合には、アクセスポイントとなる宅内ルータ５３及びアドホックモードで通信可能なレコーダ３０においては、所定間隔でビーコンを送信している。情報端末装置１０の制御部１１は、通信部１３がこのビーコンを受信することで、通信相手を検出する（ステップＳ５１）。また、情報端末装置１０の通信部１３は、所定間隔でプローブ要求を発生することもでき、このプローブ要求に対するプローブ応答によって、通信相手を検出することができる。制御部１１は、通信部１３がビーコンやプローブ応答を検出していない場合には、処理をステップＳ５６に移行して宅外設定を行った後、処理をステップＳ５１に戻す。
【００６８】
制御部１１は、ＷｉＦｉの無線信号を検出すると、ステップＳ５２において、通信モードがアドホックモードであるかインフラストラクチャモードであるかを判定する。制御部１１は、アプリケーションの設定モードにおいて、連携する機器を登録することができる。例えば、制御部１１は、レコーダ３０とアドホックモードで通信を行う場合には、レコーダ３０が構成するネットワークと共通のネットワークを示すネットワーク識別子をメモリ１２に記憶させており、ステップＳ５３において、検出した通信相手が登録したネットワークに属するものであるか否かを判定する。検出した通信相手のネットワークが登録したネットワークと異なる場合には、処理をステップＳ５６に移行して宅外設定を行った後、処理をステップＳ５１に戻す。
【００６９】
また、制御部１１は、レコーダ３０とインフラストラクチャモードで通信を行う場合には、宅内ルータ５３が構成する宅内ネットワークと共通のネットワークを示すネットワーク識別子をメモリ１２に記憶させており、ステップＳ５４において、検出した通信相手が登録したネットワークに属するものであるか否かを判定する。なお、この場合には、レコーダ３０も宅内ルータ５３が構成する宅内ネットワークに属するものとする。検出した通信相手のネットワークが登録した宅内ネットワークと異なる場合には、通信相手は宅内ルータ５３ではないので、処理をステップＳ５６に移行して宅外設定を行った後、処理をステップＳ５１に戻す。
【００７０】
制御部１１は、ステップＳ５３において、検出した通信相手のネットワークが登録したネットワークに一致したことを検出すると、連携するレコーダ３０と同一のネットワーク内に存在して通信部１３により通信可能であるものと判定して、処理をステップＳ５５に移行し、宅内設定を行った後、処理をステップＳ５１に戻す。同様に、制御部１１は、ステップＳ５４において、検出した通信相手のネットワークが登録した宅内ネットワークに一致したことを検出すると、宅内ルータ５３と同一のネットワーク内に存在して通信部１３により宅内ルータ５３を介してレコーダ３０と通信可能であるものと判定して、処理をステップＳ５５に移行し、宅内設定を行った後、処理をステップＳ５１に戻す。
【００７１】
本実施の形態においては、制御部１１は、ステップＳ２の宅内判定の判定結果を用いたステップＳ３の判定によって、リアルタイム視聴モード又は持ち出し番組視聴モードを決定するようになっている。即ち、制御部１１は、情報端末装置１０が宅内に存在することにより、レコーダ３０によるネットワークと同一ネットワークに属してレコーダ３０と通信を行うことができると判定した場合には、ステップＳ４において、リアルタイム視聴モードを設定する。また、制御部１１は、情報端末装置１０が、レコーダ３０と通信を行うことができない宅外に存在すると判定した場合には、ステップＳ５において、持ち出し番組視聴モードを設定する。
【００７２】
リアルタイム視聴モードにおいては、後述するように、レコーダ３０が受信している現在放送中のコンテンツが表示される。すなわち、本実施の形態においては、宅内で情報端末装置１０においてアプリケーションを起動すると、起動直後において放送中のテレビジョン放送コンテンツをＬＣＤ１６に表示させるようになっており、普通のテレビジョン受信機と同様の感覚で、情報端末装置１０によるテレビジョン放送の視聴が可能である。また、情報端末装置１０の起動時に、リアルタイム視聴モードが実行されるようになっていてもよい。なお、現在放送中のコンテンツがタイムシフト録画されている場合、情報端末装置１０においてアプリケーションを起動すると、現在放送中のコンテンツの先頭から再生するようにしてもよい。
【００７３】
また、情報端末装置１０の通信部１３は、情報端末装置１０が宅外に存在する場合であっても、インフラストラクチャモードであれば、インターネット５６を経由することで宅内ルータ５３を介してレコーダ３０との間で通信が可能である。しかしながら、この場合には、課金が生じるネットワークを利用する場合や通信速度が低速のネットワークを利用する場合等があり、放送コンテンツをストリーミング再生しない方がよい場合がある。そこで、本実施の形態においては、宅外判定を行った場合には、宅外ネットワークを経由してコンテンツのデータ伝送を行う必要がない持ち出し番組視聴モードに設定するようになっている。
【００７４】
なお、制御部１１は、後述するステップＳ１１，Ｓ１７，Ｓ３４においてＹＥＳ判定を行った場合には、ステップＳ６において録画番組視聴モードを設定する。本実施の形態においては、各視聴モードから他のモードに移行した後、再度元の視聴モードに戻すことを可能にするために、設定されたモードをメモリ１２に記憶させるようになっている（ステップＳ８〜Ｓ９）。
【００７５】
いずれの視聴モードであっても、制御部１１は、次のステップＳ１０においてリアルタイム視聴モード遷移操作が行われたか否かを判定し、ステップＳ１１において録画番組視聴モード遷移操作が行われたか否かを判定し、ステップＳ１２において持ち出し番組視聴モード遷移操作が行われたか否かを判定する。リアルタイム視聴モード遷移操作が行われた場合には、制御部１１は、処理をステップＳ４に戻してリアルタイム視聴モードを設定した後、ステップＳ７においてモード記憶を行う。また、録画番組視聴モード遷移操作が行われた場合には、制御部１１は、処理をステップＳ６に戻して録画番組視聴モードを設定した後、ステップＳ９においてモード記憶を行う。また、持ち出し番組視聴モード遷移操作が行われた場合には、制御部１１は、処理をステップＳ５に戻して持ち出し番組視聴モードを設定した後、ステップＳ８においてモード記憶を行う。
【００７６】
制御部１１は、ステップＳ１０〜Ｓ１２において各視聴モードへの遷移操作が行われなかったものと判定した場合には、次のステップＳ１３においてキャストボタン操作が行われたか否かを判定する。キャストボタン操作が行われると、制御部１１は、次のステップＳ１４においてリモコンモードを設定する。
【００７７】
リモコンモード中においては、制御部１１はステップＳ１５において、キャストボタン操作の待機状態となる。キャストボタン操作が行われると、制御部１１は、次のステップＳ１６において、メモリ１２に記憶されているモードがリアルタイム視聴モードであるか否かを判定し、ステップＳ１７において、メモリ１２に記憶されているモードが録画番組視聴モードであるか否かを判定し、ステップＳ１８において、メモリ１２に記憶されているモードが持ち出し番組視聴モードであるか否かを判定する。制御部１１は、メモリ１２に記憶されているモードがリアルタイム視聴モードであると判定した場合には処理をステップＳ４に戻してリアルタイム視聴モードに戻し、メモリ１２に記憶されているモードが録画番組視聴モードであると判定した場合には処理をステップＳ６に戻して録画番組視聴モードに戻し、メモリ１２に記憶されているモードが持ち出し番組視聴モードであると判定した場合には処理をステップＳ５に戻して持ち出し番組視聴モードに戻す。この結果、リモコンモードが設定された後で視聴モードに戻るとき、リモコンモードとなる前の、元の視聴モードに戻ることができる。
【００７８】
制御部１１は、ステップＳ１３においてキャストボタン操作が行われていないと判定した場合には、次のステップＳ１９においてメニュー操作の有無を判定する。後述するように、各視聴モード及び予約モードにおいては、メニューボタンが設けられており、制御部１１は、このメニューボタンに対する操作が行われると、図５ＢのステップＳ３２に処理を移行してメニューモード設定を行う。
【００７９】
制御部１１は、ステップＳ１９においてメニュー操作が行われていないと判定した場合には、次のステップＳ２０において検索操作の有無を判定する。後述するように、各視聴モードにおいては、検索ボタンが設けられており、制御部１１は、この検索ボタンに対する操作が行われると、ステップＳ２１において検索モード設定を行う。制御部１１は、ステップＳ２２において検索モードの終了操作が行われたか否かを判定する。この終了操作が行われると、制御部１１は、処理をステップＳ１６〜Ｓ１８に戻して、元の視聴モードに戻す。なお、制御部１１は、ステップＳ２０において検索操作が行われていないと判定した場合には、処理をステップＳ１０に戻して、各操作の検出を繰り返す。
【００８０】
こうして、各視聴モードとリモコンモードとの間の遷移及び各視聴モードと検索モードとの間の遷移が行われる。
【００８１】
図５ＢのステップＳ３２においてメニューモード設定が行われると、制御部１１は、ステップＳ３３〜Ｓ３８において、メニューモードにおいて設定された各項目のいずれが選択されたかを順次判定する。即ち、制御部１１は、ステップＳ３３において、リアルタイム視聴モードを指定する操作が行われると、ステップＳ４に処理を戻してリアルタイム視聴モードを設定する。制御部１１は、ステップＳ３４において、録画番組視聴モードを指定する操作が行われると、ステップＳ６に処理を戻して録画番組視聴モードを設定する。制御部１１は、ステップＳ３５において、持ち出し番組視聴モードを指定する操作が行われると、ステップＳ５に処理を戻して持ち出し番組視聴モードを設定する。
【００８２】
こうして、メニューモードから各視聴モードへの遷移及び各視聴モードからメニューモードへの遷移が可能となる。
【００８３】
制御部１１は、ステップＳ３６において、予約モードを指定する予約操作が行われると、処理をステップＳ４１に移行して予約モードを設定する。制御部１１は、次のステップＳ４２においてメニューボタンに対する操作が行われたか否かを判定しており、メニューボタンに対する操作が行われると（ステップＳ４２のＹＥＳ）、処理をステップＳ３２に戻してメニューモード設定を行い、メニューボタンに対する操作が行われないと（ステップＳ４２のＮＯ）予約モードを継続する。こうして、メニューモードと予約モードとの間の遷移が可能となる。
【００８４】
制御部１１は、ステップＳ３７において、設定操作が行われると、処理をステップＳ４３に移行して連携する機器の設定を行う。この設定によって、レコーダ３０の登録が行われる。なお、このアプリケーションは複数台のレコーダを登録することができる。制御部１１は、ステップＳ４４において設定が終了したことを判定すると（ステップＳ４４のＹＥＳ）、処理をステップＳ３２に戻し、判定しないと（ステップＳ４４のＹＥＳ）、連携する機器の設定を継続する。
【００８５】
制御部１１は、ステップＳ３８において、アカウント設定操作が行われると、処理をステップＳ４５に移行してアカウント設定を行う。このアカウント設定によって、自機及びユーザの設定を行うことができ、制御部１１はユーザ毎に視聴の管理を行うことも可能である。制御部１１は、ステップＳ４６においてアカウント設定が終了したことを判定すると（ステップＳ４６のＹＥＳ）、処理をステップＳ３２に戻し、判定しないと（ステップＳ４６のＹＥＳ）アカウント設定を継続する。
【００８６】
次に、各モードにおける画面表示及び動作について説明する。
（リアルタイム視聴モード）
図７及び図８は各視聴モードに共通の処理を示しており、図７は、視聴モード開始から終了までの一連の処理の一例を示すフローチャートである。図８は、図７のステップＳ１０３の画面生成処理の一例を示すフローチャートである。図９は図８のステップＳ１１１における表示設定情報の更新処理の一例を示すフローチャートであり、図１０は図７のステップＳ１０５のデータ送信・要求判定処理の一例を示すフローチャートである。図１１〜図１５はリアルタイム視聴モードにおける画面表示の表示例を示す説明図である。
【００８７】
まず、制御部１１は、ステップＳ１００においてレコーダ３０又はメモリ１２に対して必要なデータを要求すると、ステップＳ１０１においてレコーダ３０又はメモリ１２から必要なデータを受け取る。リアルタイム視聴モード及び録画番組視聴モードはストリーミング再生のため、制御部１１はレコーダ３０に必要なデータを要求する。一方、持ち出し番組視聴モードは情報端末装置１０のメモリ１２に予め記録されているコンテンツを視聴するため、制御部１１はメモリ１２に対して必要なデータを要求する。
【００８８】
次に、制御部１１は、ステップＳ１０２において受け取ったデータから表示設定情報を作成する。表示設定情報は、各モードの表示の仕方に関する情報であり、画面全体のレイアウトの情報、画面の各部を構成する各種アイコンや操作ボタン等の形状及び配置の情報等を含んでいる。本実施の形態においては、メモリ１２には各モードに応じた表示設定情報が記憶されており、制御部１１は、取得したコンテンツ情報及びユーザ操作に基づいてモード毎の表示設定情報を更新する。上述したように、情報端末装置１０の縦配置（縦向き）か横配置（横向き）に応じて異なる表示設定情報が用いられる。
【００８９】
制御部１１は、ステップＳ１０３において、コンテンツ情報及び表示設定情報に基づいて情報端末装置１０のＬＣＤ１６に表示する画面を生成する画面生成処理を実行する。この画面生成処理では、後述する図８の処理に基づいて、例えば１／３０秒毎に画面が更新生成される。そして、制御部１１は、ステップＳ１０４においてステップＳ１０３の処理により生成された画面をＬＣＤ１６に表示する。
【００９０】
次に、制御部１１は、ステップＳ１０５においてデータ送信又はデータ要求の判定処理を行い、ステップＳ１０６に移行してステップＳ１０５においてデータ送信又はデータ要求判定があったか否かを判定する。制御部１１は、データ送信又はデータ要求がなかった場合（ステップＳ１０６のＮＯ）、ステップＳ１０４に移行してステップＳ１０３により生成された画面をＬＣＤ１６に表示する処理を続ける。制御部１１は、データ送信又はデータ要求があった場合（ステップＳ１０６のＹＥＳ）、ステップＳ１０７に移行して視聴モードであるか否かを判定する。
【００９１】
この視聴モードは、リアルタイム視聴モード、録画番組視聴モード及び持ち出し番組視聴モードの３つのいずれかの視聴モードであり、制御部１１は、いずれかの視聴モードである場合（ステップＳ１０７のＹＥＳ）、ステップＳ１００に移行して必要なデータを要求し、受け取ったデータに基づいて要求したデータに応じた画面を生成し、ＬＣＤ１６に表示する。制御部１１は、いずれかの視聴モードでない場合（ステップＳ１０７のＮＯ）、すなわち、リモコンモード、検索モード、及び、メニューモード等に移行した場合、処理を終了する。
【００９２】
次に、ステップＳ１０３の画面生成処理について説明する。制御部１１は、ステップＳ１１０において、情報端末装置１０の向きが縦向きか横向きかを判定し、ステップＳ１１１に移行して表示設定情報の更新処理を実行する。すなわち、画面生成処理では、更新された表示設定情報と、受け取ったデータに応じて、情報端末装置１０が縦向きの場合、縦用の画面が生成され、情報端末装置１０が横向きの場合、横用の画面が生成されることになる。
【００９３】
次に、制御部１１は、ステップＳ１１２，Ｓ１１４，Ｓ１１６において、それぞれリアルタイム視聴モードであるか、録画番組視聴モードであるか又は持ち出し番組視聴モードであるかを判定する。制御部１１は、リアルタイム視聴モードである場合（ステップＳ１１２のＹＥＳ）、ステップＳ１１３においてリアルタイム視聴モード用の画面を生成し、リアルタイム視聴モードでない場合（ステップＳ１１２のＮＯ）ステップＳ１１４へ移行する。制御部１１は、録画番組視聴モードである場合（ステップＳ１１４のＹＥＳ）、ステップＳ１１５において録画番組視聴モード用の画面を生成し、録画番組視聴モードでない場合（ステップＳ１１４のＮＯ）ステップＳ１１４へ移行する。制御部１１は、持ち出し番組視聴モードである場合（ステップＳ１１６のＹＥＳ）、ステップＳ１１７において持ち出し番組視聴モード用の画面を生成し、持ち出し番組視聴モードでない場合（ステップＳ１１６のＮＯ）ステップＳ１１０へ移行する。
【００９４】
ステップＳ１１０からステップＳ１１７の処理は、例えば１／３０秒毎に繰り返し実行され、ステップＳ１１１において表示設定情報が更新される度に、また、図７のステップＳ１０６においてデータ要求が発生する度に、更新されたデータ及び表示設定情報に応じた画面が生成されることになる。
【００９５】
ここで、ステップＳ１１３の処理により生成されるリアルタイム視聴モード用の画面について説明する。なお、ステップＳ１１５の処理により生成される録画番組視聴モード用の画面、及び、ステップＳ１１７の処理により生成される持ち出し番組視聴モード用の画面については後述する。
【００９６】
図１１はリアルタイム視聴モード開始直後において、初期の表示設定情報に基づいて生成されるトップ画面、即ち、ユーザ操作が行われる前の画面を示している。図１１に示すように、ＬＣＤ１６に表示される画面１００は、上側の所定の領域にビューワエリア１０１を備え、下側の所定の領域にコンテンツリストエリア１０２を備える。
【００９７】
ビューワエリア１０１は、放送中のコンテンツ（番組）のプレビューを表示するための表示エリア１１０、メニュー表示を行うためのメニューアイコン１１１、検索モードに移行するための検索アイコン１１２、視聴モードを切り換えるための視聴モード切り換えボタン１１３、１１４、及び、タイムバー１１５を備える。なお、本明細書中のアイコンについては、アイコンに限らず操作ボタンや文字からなる画像であってもよい。
【００９８】
表示エリア１１０は、放送中のコンテンツ１１６のプレビューを表示するとともに、放送中のコンテンツ１１６の上側に選局中のコンテンツの前の放送局のコンテンツ１１７の一部、例えば、下側の一部を表示し、放送中のコンテンツ１１６の下側に選局中のコンテンツの後の放送局のコンテンツ１１８の一部、例えば、上側の一部を表示する。
【００９９】
なお、表示エリア１１０には放送中のコンテンツを表示させており、表示エリア１１０の表示によって放送中のコンテンツを確認することも可能であるが、ビューワエリア１０１の他にコンテンツリストエリア１０２を表示しており、後述するように表示エリア１１０のスワイプ操作によって表示するコンテンツを切換えることもでき、縦配置における表示は、所謂ザッピング選局等の選局用として利用し易い構成となっている。これに対し、後述する横配置における表示時には、ＬＣＤ１６の表示画面の略全域に放送中のコンテンツを表示するようになっており、視聴の用途に向いている。
【０１００】
また、制御部１１は、アプリケーション起動直後に最初に受信するチャンネルとして、端末レジューム情報又はレコーダレジューム情報に記録されている前回の最後の視聴時に視聴したチャンネルに設定するようになっていてもよい。これにより、ユーザは最後に情報端末装置１０とレコーダ３０のいずれで視聴を行ったかに拘わらず、最後に視聴したチャンネルからコンテンツを視聴することができる。
【０１０１】
図１１において、放送中のコンテンツ１１６の下側の所定の領域にはコンテンツ情報１１９が所定時間（例えば、チャンネルが切替えられた後１０秒間）表示される。さらに、放送中のコンテンツ１１６の左下側の所定の領域には、このコンテンツ１１６の先頭から再生するための先頭ジャンプボタン１２０が表示される。この先頭ジャンプボタン１２０は、放送中のコンテンツ１１６が予約録画又はタイムシフト録画等により録画されている場合に表示されるものである。
【０１０２】
タイムバー１１５は、チャプタ１２１ａ、１２１ｂ、・・・、のように交互に色分けされて表示され、黒色と白色との色の境界にチャプタが打たれている。また、タイムバー１１５には、放送中のコンテンツ１１６が予約録画又はタイムシフト録画等により録画されている場合、スライダ＆インジケータ１２２が表示される。タイムバー１１５は表示エリア１１０で表示しているコンテンツの番組の長さを示すバーであり、スライダ＆インジケータ１２２はコンテンツの長さに対する再生位置に応じた位置に表示される。すなわち、このスライダ＆インジケータ１２２は、ポインタの役割も有しており、再生位置に応じて自動的に現在の再生位置を示すように位置が変更される。このスライダ＆インジケータ１２２はユーザが左右にスワイプ（スライド）させることができるようになっており、ユーザがスライダ＆インジケータ１２２を左右にスワイプ（スライド）させることにより再生位置を変更することができる。このようなタイムバー１１５の色分け表示によって、ユーザはコンテンツ中でどの位置（時間）の表示を行っているかに加え、コンテンツ中の各チャプタ１２１ａ、１２１ｂ、・・・、の長さを容易に把握することができる。例えば、コマーシャルは比較的短いチャプタで区切られている。色分け表示によってこのような短い期間のチャプタであることを確認することで、コマーシャルの期間を簡単に認識できる。また、ユーザがスライダ＆インジケータ１２２を左右にスワイプしている間は、再生を再開するまでスワイプ直前の静止画（キャプチャ画像）を表示エリア１１０に表示する。さらに、ユーザがスライダ＆インジケータ１２２を左右にスワイプしている間は、そのスワイプ位置におけるサムネイル画像を次々に表示エリア１１０の所定の領域に表示する。このようなタイムバー１１５の処理は、後述する録画番組視聴モード及び持ち出し番組視聴モード時にも行われる。
【０１０３】
コンテンツリストエリア１０２には、現在視聴可能なコンテンツ、すなわち、複数のコンテンツ１２３ａ、１２３ｂ、・・・、１２３ｈがリスト表示される。各コンテンツ１２３ａ、１２３ｂ、・・・、１２３ｈは、同様の構成をしているため、代表してコンテンツ１２３ｂについて説明する。
【０１０４】
コンテンツ１２３ｂには、コンテンツのサムネイル画像１２４（コンテンツを代表する１枚）、放送局ロゴ１２５、コンテンツタイトル１２６、放送日時１２７、及び、コンテンツの詳細説明１２８が表示される。なお、コンテンツの詳細説明１２８に代えてコンテンツの簡易説明を表示するようになっていてもよい。さらに、サムネイル画像１２４の下部には、バー１２９が表示される。このバー１２９は、バー１２９全体の長さをコンテンツの放送時間長と見立て、このバー１２９の左端をコンテンツの開始位置、右端を終了位置とし、バー１２９全体に対する現在の放送位置を示すバー１２９が表示される。
【０１０５】
現在選択中のコンテンツ１２３ａ（表示エリア１１０に表示されているコンテンツ１１６）には、フォーカス１３０があてられる。ユーザは、コンテンツリストエリア１０２を指で上下にスワイプさせることによりコンテンツリストを上下にスライドさせることができ、例えば下にスワイプさせるとコンテンツ１２３ａの前のチャンネルのコンテンツ１２３が表示され、上にスワイプさせるとコンテンツ１２３ｈの後のチャンネルのコンテンツ１２３が表示される。ユーザは視聴したいコンテンツ１２３をタップすることにより表示エリア１１０に表示されるコンテンツを切り換えることができる。このとき、選択されたコンテンツをリスト表示の最上段にスライドインさせるようにしてもよいし、選択した位置にフォーカス１３０を移動するようにしてもよい。なお、フォーカスに代えてコンテンツ１２３の例えば左側にラジオボタン等のマークを表示するようにしてもよい。
【０１０６】
また、コンテンツリストエリア１０２の上側の所定の位置には、放送種別選択ボタン１３１が表示されている。ユーザは、放送種別選択ボタン１３１をタップし、後述する放送種別選択画面１３２（図１５参照）から放送種別（地上デジタル放送、ＢＳ放送、ＣＳ放送）を切り換えることができる。図１３の例では、「地デジ」の表記により放送種別として地上デジタル放送が選択されていることを示している。なお、この放送種別選択ボタン１３１を"地デジ"の表記とは別に設けるのではなく、"地デジ"の表記自体を放送種別選択ボタン１３１としてタップすることで放送種別を"ＢＳ"や"ＣＳ"に切替えられるようにしてもよい。
【０１０７】
図１１のトップ画面は、表示設定情報が更新されることで表示が変更される。
【０１０８】
次に、図９を参照して図８のステップＳ１１１の表示設定情報の更新処理について説明する。
【０１０９】
制御部１１は、ステップＳ１２０において所定時間（例えば、１０秒間）経過したか否かを判定する。制御部１１は、所定時間経過していない場合、ステップＳ１２２に移行する。一方、制御部１１は、所定時間経過している場合、ステップＳ１２１においてコンテンツ情報１１９の表示をＯＦＦ（消去）にする設定を行う。こうして表示設定情報が更新されると、図８のステップＳ１１３において、図１１に示すトップ画面が変更されて、図１２に示すように、コンテンツ情報１１９が消去された画面１００が表示される。このとき、図１１に示す先頭ジャンプボタン１２０も同時に消去される。
【０１１０】
リアルタイム視聴モードにおいては、レコーダ３０において現在放送を受信中のコンテンツに関する表示が表示エリア１１０に行われる。従って、リアルタイム視聴モードでは、本来、放送中のコンテンツをリアルタイムに表示することしかできない。しかし、レコーダ３０において、選局中のコンテンツを予約録画又はタイムシフト録画等により録画している場合がある。この場合には、リアルタイム視聴モードであっても、レコーダ３０の録画データに基づいて、放送中のコンテンツをタイムシフト再生することも可能である。そこで、本実施の形態においては、リアルタイム視聴モードにおいてタイムシフト再生の操作を行うためのコントロールパネル１４０を図１３に示す通り表示させるようになっている。
【０１１１】
先ず、制御部１１は、図９のステップＳ１２２において表示エリア１１０がタップされたか否かを判定する。制御部１１は、表示エリア１１０がタップされていない場合、ステップＳ１２７に移行する。一方、制御部１１は、表示エリア１１０がタップされた場合、ステップＳ１２３において視聴中のコンテンツが録画（タイムシフト録画または予約録画等）されているか否かを判定する。
【０１１２】
制御部１１は、視聴中のコンテンツが録画されている場合、ステップＳ１２６に移行し、コントロールパネル１４０を表示エリア１１０上に表示させるためのコントロールパネル表示ＯＮ設定を行う。この表示設定情報の更新により、図８のステップＳ１１３において、更新された表示設定情報に基づいて新たな画面１００が生成されることなる。すなわち、このコントロールパネル表示ＯＮ設定により、図１３に示すように、表示エリア１１０上にコントロールパネル１４０が表示されることになる。このとき、視聴中のコンテンツは再生を続ける、あるいは、一時停止状態となり、表示エリア１１０上でコントロールパネル１４０の後ろで透過表示された状態となる。この透過表示方法としては例えばアルファブレンディングによる透過表示とする。
【０１１３】
コントロールパネル１４０は、１０秒戻しボタン１４１、一時停止／再生ボタン１４２、３０秒スキップボタン１４３、キャストボタン１４４、前チャプタボタン１４５、及び、次チャプタボタン１４６を備える。
【０１１４】
また、本実施の形態においては、レコーダ３０において放送中のコンテンツの録画を行っていない場合でも、タイムシフト再生のためにレコーダ３０に録画要求をすることも可能である。すなわち、制御部１１は、図９のステップＳ１２３において視聴中のコンテンツが録画されていない場合、ステップＳ１２４に移行し、レコーダ３０に対して録画の可否の問い合わせ、及び、録画の依頼を行う。制御部１１は、ステップＳ１２５において、レコーダ３０からの問い合わせ結果から録画が可能か否かを判定する。制御部１１は、録画が可能でない場合、ステップＳ１２７に移行する。一方、制御部１１は、録画が可能な場合、ステップＳ１２６に移行し、コントロールパネル表示ＯＮ設定を行う。
【０１１５】
なお、このような状態において、ユーザが情報端末装置１０を縦向きから横向きに変更すると、図１４に示す通り全画面表示に切り換わる（但し、横向きに変更する直前に通常コントロールパネル１４０が表示されていない場合には、コントロールパネル１４０が表示されていない全画面表示）。また、情報端末装置１０を横向き（全画面表示）にしてコンテンツを視聴中にユーザが画面をタップした場合も図１４に示す画面に切り換わる。このような横向きの全画面表示と縦向きの表示とを情報端末装置１０の向きを変えただけで自動的に変更することができ、操作性に優れている。
【０１１６】
図１４に示すように、全画面表示に切り換わった画面１５０は、ビューワエリア１０１と略同じ表示であるが、タイムバー１１５の下側に各放送局の放送局ロゴ１２５が表示されている。ユーザは所望の放送局ロゴ１２５をタップすることで、所望の放送局による放送コンテンツに切り換えることができる。なお、図１４では画面１５０にはコントロールパネル１４０が表示されている例を示しているが、コントロールパネル表示ＯＦＦ設定の場合にはコントロールパネル１４０は表示されず、視聴に適した画面となる。これにより、わざわざ縦向きに戻すことなく横向きのままコントロールパネル１４０を表示することができ、操作性に優れている。
【０１１７】
制御部１１は、図９のステップＳ１２７において、表示エリア１１０以外がタップされたか又は視聴中のコンテンツが一時停止状態中に一時停止／再生ボタン１４２がタップされたか否かを判定する。なお、一時停止／再生ボタン１４２は、コンテンツが一時停止状態中には図１３，図１４に示すような再生マークのボタンとなり、逆に再生状態中には図２０に示すような一時停止マークのボタンとなる。
【０１１８】
制御部１１は、表示エリア１１０以外がタップされたか又は視聴中のコンテンツが一時停止状態中に一時停止／再生ボタン１４２がタップされた場合、ステップＳ１２８に移行し、コントロールパネル表示ＯＦＦ設定を行う。これにより、表示エリア１１０（図１４では画面１５０内のコンテンツ表示エリア）からコントロールパネル１４０が消えることになる。制御部１１は、表示エリア１１０以外がタップされておらず、また視聴中のコンテンツの一時停止状態中に一時停止／再生ボタン１４２がタップされていない場合、ステップＳ１２９に移行する。
【０１１９】
制御部１１は、図９のステップＳ１２９においてタイムバー操作があったか否かを判定する。具体的には、制御部１１は、タイムバー１１５のスライダ＆インジケータ１２２が左右にスライドされたか否かを検出している。制御部１１は、タイムバー１１５のスライダ＆インジケータ１２２が左右にスライドされた場合、ステップＳ１３０に移行して、操作位置におけるサムネイル画像の表示設定を行う。これにより、タイムバー１１５のスライダ＆インジケータ１２２の操作位置におけるサムネイル画像が表示エリア１１０（図１４では画面１５０内のコンテンツ表示エリア）に表示されることになる。制御部１１は、タイムバー１１５のスライダ＆インジケータ１２２が左右にスライドされていない場合、ステップＳ１３１に移行する。
【０１２０】
制御部１１は、ステップＳ１３１において、放送種別ボタン操作があったか否かを判定する。具体的には、制御部１１は、放送種別選択ボタン１３１がタップされたか否かを判定している。制御部１１は、放送種別ボタン操作がなかった場合、ステップＳ１２０に移行する。一方、制御部１１は、放送種別ボタン操作があった場合、ステップＳ１３２に移行し、放送種別を選択するための画面を表示する放送種別選択画面表示ＯＮ設定を行う。これにより、図１５に示すように、コンテンツリストエリア１０２の左上の領域に放送種別選択画面１３２が表示される。
【０１２１】
制御部１１は、ステップＳ１３３において、放送種別選択画面１３２から放送種別が選択されたか否かを判定する。制御部１１は、放送種別選択画面１３２から放送種別が選択されていない場合、ステップＳ１２０に移行する。一方、制御部１１は、放送種別選択画面１３２から放送種別が選択された場合、ステップＳ１３４に移行し、選択された放送種別のリスト表示設定を行う。これにより、コンテンツリストエリア１０２には、選択された放送種別に応じたコンテンツ情報がリスト表示されることになる。
【０１２２】
次に、図１０を参照して図７のステップＳ１０５のデータ送信・要求判定処理について説明する。
【０１２３】
制御部１１は、ステップＳ１４１において表示エリア１１０（図１４では画面１５０内のコンテンツ表示エリア）でスワイプ操作があったか否かを判定する。ユーザは、表示エリア１１０（図１４では画面１５０内のコンテンツ表示エリア）において例えば上下方向にスワイプ操作することにより、表示エリア１１０に表示しているコンテンツを切り換えることができる。このため、制御部１１は、表示エリア１１０において上下方向のスワイプ操作があったか否かを判定している。制御部１１は、スワイプ操作がない場合、ステップＳ１４３に移行する。一方、制御部１１は、スワイプ操作があった場合、ステップＳ１４２に移行し、スワイプの向きに応じたデータをレコーダ３０に要求する。表示エリア１１０上をスワイプする操作は、表示しているコンテンツをずらす（切り換える）処理として感覚的に一致するので、ユーザはコンテンツの変更操作を直感的に行えることになる。
【０１２４】
なお、スワイプによるコンテンツの切換え時において、切換後のコンテンツが受信されて表示される迄の間、スワイプする前まで表示エリア１１０に表示していたコンテンツの画像を静止画として表示し続けるようになっている。これにより、コンテンツ切換え時に無画像の表示となることを防止することができる。
【０１２５】
制御部１１は、図１０のステップＳ１４３において先頭ジャンプ操作があったか否かを判定する。具体的には、制御部１１は、先頭ジャンプボタン１２０がタップされた否かを判定している。制御部１１は、先頭ジャンプ操作がなかった場合、ステップＳ１４５に移行する。一方、制御部１１は、先頭ジャンプ操作があった場合、ステップＳ１４４に移行し、表示エリア１１０に表示し視聴中のコンテンツの先頭位置からのデータをレコーダ３０に要求する。これにより、簡単な操作でコンテンツの先頭位置から視聴することが可能となる。
【０１２６】
なお、レコーダ３０において録画されているコンテンツについては、アプリケーション起動直後において、コンテンツの先頭位置から再生を開始し、ジャンプボタンによって現在放送中の位置にジャンプして再生を行うようになっていてもよい。
【０１２７】
制御部１１は、図１０のステップＳ１４５においてコンテンツリスト操作があったか否かを判定する。具体的には、制御部１１は、コンテンツリストエリア１０２にリスト表示された複数のコンテンツ１２３ａ〜１２３ｈのうち任意のコンテンツがタップされた否かを判定している。制御部１１は、コンテンツリスト操作がなかった場合、ステップＳ１４７に移行する。一方、制御部１１は、コンテンツリスト操作があった場合、ステップＳ１４６に移行し、指定されたコンテンツのデータをレコーダ３０に要求する。
【０１２８】
また、制御部１１は、コンテンツリストエリア１０２に対する左スワイプ操作を検出すると、コンテンツリスト全体のコンテンツ情報を切換えるようになっていてもよい。これにより、コンテンツ情報を簡単でかつ直感的な操作で切り換えることができる。例えば、左スワイプ操作で異なる放送種別のコンテンツ情報を表示させるようになっていてもよく、ユーザ毎に異なるコンテンツ情報がある場合には、左スワイプ操作によって異なるユーザのコンテンツ情報を表示させるようになっていてもよく、また、特定の表示形態に従った複数のリストが存在する場合には、左スワイプ操作でこれらのリストを切換えて表示させるようになっていてもよい。
【０１２９】
制御部１１は、図１０のステップＳ１４７において１０秒戻し操作があったか否かを判定する。具体的には、制御部１１は、コントロールパネル１４０の１０秒戻しボタン１４１がタップされた否かを判定している。制御部１１は、１０秒戻し操作があった場合、ステップＳ１５２に移行する。
【０１３０】
一方、制御部１１は、１０秒戻し操作がなかった場合、ステップＳ１４８に移行し、３０秒スキップ操作があったか否かを判定する。具体的には、制御部１１は、コントロールパネル１４０の３０秒スキップボタン１４３がタップされた否かを判定している。制御部１１は、３０秒スキップ操作があった場合、ステップＳ１５２に移行する。
【０１３１】
一方、制御部１１は、３０秒スキップ操作がなかった場合、ステップＳ１４９に移行し、前チャプタ操作があったか否かを判定する。具体的には、制御部１１は、コントロールパネル１４０の前チャプタボタン１４５がタップされた否かを判定している。制御部１１は、前チャプタ操作があった場合、ステップＳ１５２に移行する。
【０１３２】
一方、制御部１１は、前チャプタ操作がなかった場合、ステップＳ１５０に移行し、次チャプタ操作があったか否かを判定する。具体的には、制御部１１は、コントロールパネル１４０の次チャプタボタン１４６がタップされた否かを判定している。制御部１１は、次チャプタ操作があった場合、ステップＳ１５２に移行する。一方、制御部１１は、次チャプタ操作がなかった場合、ステップＳ１５５に移行する。
【０１３３】
スキップ操作やチャプタ操作等は、連続して数回操作されることがある。この理由から、上述したように、スキップ操作等ではコントロールパネル１４０の表示をＯＦＦにしないようになっている。これによりスキップ操作の利便性を向上させている。なお、制御部１１は、例えば、最後のスキップ等の操作から数秒後（例えば１０秒後）にコントロールパネル１４０の表示を消すようになっていてもよい。
【０１３４】
また、制御部１１は、次チャプタ操作がなかった場合、ステップＳ１５１に移行し、タイムバー操作があったか否かを判定する。具体的には、制御部１１は、タイムバー１１５のスライダ＆インジケータ１２２がスライドされたか否かを判定し、スライドされた場合にはそのスライドされた位置を判定してステップＳ１５２に移行する。制御部１１は、タイムバー１１５のスライダ＆インジケータ１２２が左右にスライドされていない場合、ステップＳ１５５に移行する。
【０１３５】
制御部１１は、図１０のステップＳ１４７〜Ｓ１５１においてＹＥＳ判定の場合、ステップＳ１５２において指定位置からのデータをレコーダ３０に要求する。
【０１３６】
制御部１１は、図１０のステップＳ１５５において放送種別選択操作があったか否かを判定する。具体的には、制御部１１は、放送種別選択画面１３２において放送種別が切り換えられたか否かを判定している。制御部１１は、放送種別選択操作がなかった場合、ステップＳ１５７に移行する。一方、制御部１１は、放送種別選択操作があった場合、ステップＳ１５６に移行し、メモリ１２からコンテンツのリストを読み出す要求を行う。
【０１３７】
制御部１１は、図１０のステップＳ１５７において視聴モード変更操作があったか否かを判定する。具体的には、制御部１１は、視聴モード切り換えボタン１１３又は１１４がタップされたか否かを判定している。本実施形態では、リアルタイム視聴モード中に視聴モード切り換えボタン１１４がタップされると録画番組視聴モードに移行し、録画番組視聴モード中に視聴モード切り換えボタン１１４がタップされると持ち出し番組視聴モードに移行する。また、持ち出し番組視聴モード中に視聴モード切り換えボタン１１３がタップされると録画番組視聴モードに移行し、録画番組視聴モード中に視聴モード切り換えボタン１１３がタップされるとリアルタイム視聴モードに移行する。
【０１３８】
制御部１１は、図１０のステップＳ１５７において視聴モード変更操作がなかった場合、ステップＳ１５９に移行する。一方、制御部１１は、視聴モード変更操作があった場合、ステップＳ１５８に移行し、指定された視聴モードに応じたデータをレコーダ３０に要求する。
【０１３９】
制御部１１は、図１０のステップＳ１５９においてキャストボタン操作があったか否かを判定する。具体的には、制御部１１は、コントロールパネル１４０のキャストボタン１４４がタップされたか否かを判定している。制御部１１は、キャストボタン操作がなかった場合、ステップＳ１６１に移行する。一方、制御部１１は、キャストボタン操作があった場合、ステップＳ１６０に移行し、リモコンモードへのデータを要求する。具体的には、制御部１１は、表示エリア１１０（図１４では画面１５０内のコンテンツ表示エリア）にて視聴中のコンテンツを外部のモニタ、例えばテレビジョン受信機５２に出力するようレコーダ３０に対して要求し、情報端末装置１０はリモコンモードに移行する。なお、リモコンモードの詳細については後述する。
【０１４０】
制御部１１は、図１０のステップＳ１６１において検索ボタン操作があったか否かを判定する。具体的には、制御部１１は、検索アイコン１１２がタップされたか否かを判定している。制御部１１は、検索ボタン操作がなかった場合、ステップＳ１６３に移行する。一方、制御部１１は、検索ボタン操作があった場合、ステップＳ１６２に移行し、検索モードへのデータを要求し、検索モードへ移行する。
【０１４１】
視聴モード（リアルタイム視聴モード、録画番組視聴モード及び持ち出し番組視聴モード）中に検索モードに移行した場合、制御部１１は、視聴中のコンテンツの情報から人物等のキーワードを抽出し、この抽出したキーワードを用いて、未来番組及び過去番組等を検索することができる。なお、予約モード中にも検索を行うことができるが、予約モードでの検索については、後述する予約モードで説明する。
【０１４２】
制御部１１は、図１０のステップＳ１６３において電話機能による通話が開始された否かを判定する。制御部１１は、通話が開始されていない場合、ステップＳ１６５に移行する。一方、制御部１１は、通話が開始された場合、ステップＳ１６４に移行し、データの停止をレコーダ３０に要求する。また、制御部１１は、通話中コンテンツの再生をある静止画で一時停止させると共に、音声についてはミュートする。また、ステップＳ１５９の処理によりキャストボタン操作があり、外部のモニタ、例えば、テレビジョン受信機５２に表示している場合には、テレビジョン受信機５２による映像出力がコンテンツのある静止画で一時停止させると共に、音声についてはミュートさせる。この結果、情報端末装置１０やテレビジョン受信機５２の音声により、情報端末装置１０による通話が邪魔すされることがなくなる。
【０１４３】
なお、この場合には、制御部１１は、レコーダ３０が予約録画又はタイムシフト録画を行っていないときには、レコーダ３０に対してタイムシフト録画の開始を要求する。
【０１４４】
制御部１１は、図１０のステップＳ１６５において通話が終了したか否かを判定する。制御部１１は、通話が終了していない場合、ステップＳ１６５に移行する。一方、制御部１１は、通話が終了した場合、ステップＳ１６６に移行し、通話が開始されたときにレコーダ３０が停止した停止位置からのデータをレコーダ３０に要求し、ステップＳ１４１に移行する。これにより、通話が開始されたときに一時停止した位置から続けてコンテンツを再生することができる。なお、変形例としては通話前からコンテンツを録画していた場合には、通話が開始されたときの停止した停止位置から数秒前（例えば１５秒）に遡った位置からのデータをレコーダ３０に要求してもよい。こうすることにより通話前のコンテンツについても重複して視聴することができるため、コンテンツのストーリーの流れを把握し易くなるという効果を得ることができる。
【０１４５】
また、制御部１１は、視聴中のコンテンツの終端になった場合、録画予約、連ドラ予約、持ち出し予約等を行うための終端コントロールパネルを表示エリア１１０に表示することができる。ユーザは終端コントロールパネルを用いて、録画予約、連ドラ予約、持ち出し予約等をワンタッチで操作することができ、操作性に優れている。なお、終端コントロールパネルについては、録画番組視聴モードで詳細に説明する。
（録画番組視聴モード）
次に、図１６乃至図２３を参照して録画番組視聴モードについて説明する。
【０１４６】
図１６は、図８のステップＳ１１１の表示設定情報の更新処理の録画番組視聴モードの例を示すフローチャートである。図１７及び図１８は、図７のステップＳ１０５のデータ送信・要求判定処理の録画番組視聴モードの例を示すフローチャートである。なお、図１６において、図９と同様の処理については同一の符号を付して説明を省略する。また、図１７において、図１０と同様の処理については同一の符号を付して説明を省略する。また、図１９〜図２３は録画番組視聴モードにおける画面表示を説明するための説明図である。図１９は録画番組視聴モード開始後に所定時間経過した後の画面を示している。なお、図１９に示す録画番組視聴モード用の画面において、図１１のリアルタイム視聴モード用の画面と同様の構成については同一の符号を付して説明を省略する。
【０１４７】
図１９に示すように、ＬＣＤ１６に表示される画面２００は、上側の所定の領域にビューワエリア１０１を備え、下側の所定の領域にコンテンツリストエリア１０２を備える。録画番組視聴モードは、レコーダ３０に録画されているコンテンツをストリーミング再生により視聴するためのモードであり、録画番組視聴モードに遷移すると、制御部１１は、録画設定情報に基づいて、レコーダ３０に録画されているコンテンツ（録画コンテンツ）の送信を要求する。なお、制御部１１は、端末レジューム情報に基づいて、前回の視聴時に最後に視聴した録画コンテンツの送信を要求するようにしてもよい。制御部１１は、録画番組視聴モードへの移行直後は、初期の表示設定情報に基づいて、ビューワエリア１０１及びコンテンツリストエリア１０２の表示を行う。
【０１４８】
ビューワエリア１０１の表示エリア１１０は、選択されている録画コンテンツ２１０のプレビューを表示するとともに、選択されている録画コンテンツ２１０の上側に前の録画コンテンツ２１１の一部、例えば、下側の一部を表示し、選択されている録画コンテンツ２１０の下側に後の録画コンテンツ２１２の一部、例えば、上側の一部を表示する。なお、前の録画コンテンツ２１１及び後の録画コンテンツ２１２は、コンテンツリストエリア１０２の表示順の上下の録画コンテンツのことである。
【０１４９】
また、録画番組視聴モードに移行した直後には、選択されている録画コンテンツ２１０の下側の所定の領域に、リアルタイム視聴モードと同様のコンテンツ情報１１９（図１１参照）が所定時間（例えば、録画コンテンツを再生し始めた後（ポースからの再生再開も含む）１０秒間）表示される。コンテンツ情報１１９は所定時間経過すると表示がＯＦＦになる。そして、図１９に示すように、選択されている録画コンテンツ２１０の右下にチャプタ切り換えボタン２１３が所定時間（例えば、録画コンテンツを再生し始めた後（ポースからの再生再開も含む）１０秒間）表示される。
【０１５０】
コンテンツリストエリア１０２には、現在視聴可能な録画コンテンツ、すなわち、複数の録画コンテンツ２２０ａ、２２０ｂ、・・・、２２０ｈがリスト表示される。なお、現在視聴可能な録画コンテンツは、録画が完了しているコンテンツとタイムシフト録画中のコンテンツを含む。各録画コンテンツ２２０ａ、２２０ｂ、・・・、２２０ｈは、同様の構成をしているため、代表して録画コンテンツ２２０ｃについて説明する。
【０１５１】
録画コンテンツ２２０ｃには、コンテンツのサムネイル画像２２１（コンテンツを代表する１枚）、コンテンツタイトル２２２、放送日２２３、オプションボタン２２４、時短時間２２５、及び、コンテンツの詳細説明２２６が表示される。時短時間２２５は、例えば、「らく早見」の表記が４５分で視聴でき、「らく見」の表記が６０分で視聴できることを示している。さらに、端末レジューム情報に基づいてサムネイル画像２２１の下部には、バー２２７が表示される。このバー２２７は、バー２２７全体の長さをコンテンツ長と見立て、このバー２２７の左端をコンテンツの開始位置、右端を終了位置とし、バー２２７全体に対する視聴済みの位置（バー２２７の白い部分が未再生（未視聴）／黒い部分が再生済（視聴済））を示す。これによりコンテンツのどこまを視聴（再生）したかを容易に把握することができる。コンテンツのサムネイル画像２２１、コンテンツタイトル２２２、放送日２２３、及び、コンテンツの詳細説明２２６については、リアルタイム視聴モードと同様である。
【０１５２】
なお、制御部１１は、レコーダ３０において、時短モードでの再生に関する設定情報が存在する場合には、当該設定情報を読み出すことで、情報端末装置１０においてもレコーダ３０と同様の時短モードを設定するようになっていてもよい。これにより、ユーザは、情報端末装置１０及びレコーダ３０のいずれにおいても、同様の時短モードでの視聴が可能となる。
【０１５３】
また、コンテンツリストエリア１０２の上側の所定の位置には、リスト表示する録画コンテンツをカスタマイズするためのカスタマイズ用ボタン２３０が表示されている。ユーザは、カスタマイズ用ボタン２３０をタップし、後述するカスタマイズメニュー画面２３１（図２２参照）からコンテンツリストエリア１０２に表示する録画コンテンツをカスタマイズすることができる。図１９の例では、カスタマイズメニュー画面２３１にて新着順が選択されており、録画コンテンツがコンテンツリストエリア１０２の上側から新着順に表示されている。
【０１５４】
また、カスタマイズ用ボタン２３０の右側の領域には、カテゴリを切り換えるためのカテゴリタブ２３２が表示されている。カテゴリタブ２３２には、例えば、「すべて」、「おすすめ」、「スポーツ」、「ニュース」、「ドラマ」、「おまかせ録画」等のカテゴリが表示される。ユーザは、カテゴリタブ２３２を左右にスワイプすることで、カテゴリタブ２３２に表示されるカテゴリをスクロールさせ表示されるカテゴリを切り換えることができる。そして、ユーザは、カテゴリタブ２３２の例えば「スポーツ」ボタンをタップすることで、コンテンツリストエリア１０２に表示される録画コンテンツをスポーツに関連する録画コンテンツに切り換えることができる。なお、カテゴリタブ２３２は、左右にスワイプされても、カスタマイズ用ボタン２３０の領域を浸食することがない。
【０１５５】
次に、図１６を参照して表示設定情報の更新処理について説明する。
【０１５６】
制御部１１は、表示エリア１１０にチャプタ切り換えボタン２１３を表示すると、ステップＳ１７１において所定時間（例えば、１０秒間）が経過したか否かを判定する。制御部１１は、所定時間が経過していない場合、ステップＳ１２２に移行する。一方、制御部１１は、所定時間が経過した場合、チャプタ切換え表示ＯＦＦ設定を行う。これにより、次のチャプタに切り換えるためのチャプタ切り換えボタン２１３の表示をＯＦＦにすることができる。
【０１５７】
制御部１１は、表示エリア１１０がタップされると、ステップＳ１２６においてコントロールパネル表示ＯＮ設定を行う。これにより、図２０に示すように、表示エリア１１０にコントロールパネル１４０が表示される。コントロールパネル１４０は、リアルタイム視聴モード時と同様の表示であり、１０秒戻しボタン１４１、一時停止／再生ボタン１４２、３０秒スキップボタン１４３、キャストボタン１４４、前チャプタボタン１４５、及び、次チャプタボタン１４６を備える。なお、一時停止／再生ボタン１４２は、コンテンツが一時停止状態中には図１３，図１４に示すような再生マークのボタンとなり、逆に再生状態中には図２０に示すような一時停止マークのボタンとなる。この図２０では、図１３，図１４に示すような再生マークのボタンがタップされた後、例えば、１０秒間が経過するとコントロールパネル表示がＯＦＦされるが、それ迄の１０秒間には再度一時停止させるための一時停止マークとなったときの図である（このとき再生されているコンテンツ上に、コントロールパネル表示ＯＮした状態）。この図のタイミングで一時停止マークをタップするとコンテンツの再生は一時停止し、一時停止／再生ボタン１４２は図１３，図１４に示すような再生マークのボタンとなる。
【０１５８】
ステップＳ１７３において、制御部１１は、チャプタの境界になったか否かを判定する。制御部１１は、チャプタの境界になっていない場合、ステップＳ１７５に移行する。一方、制御部１１は、チャプタの境界になった場合、ステップＳ１７４に移行し、スキップサムネイル一時表示ＯＮ設定を実行する。ステップＳ１７４の処理により、前のチャプタに切り換えるための前チャプタボタン１４５、及び、次のチャプタに切り換えるための次チャプタボタン１４６が表示エリア１１０の所定の位置に所定時間（例えば、１０秒間）表示される（図２０参照）。ユーザは、前チャプタボタン１４５又は次チャプタボタン１４６をタップすることで、このタップされたチャプタの位置に再生位置を変え、表示エリア１１０に表示する画像を新たな再生位置の画像に切り換えることができる。
【０１５９】
制御部１１は、ステップＳ１７５において録画コンテンツの終端に到達したか否かを判定する。制御部１１は、録画コンテンツの終端に到達していない場合、ステップＳ１７７に移行する。一方、制御部１１は、録画コンテンツの終端に到達した場合、終端コントロールパネル一時表示ＯＮ設定を行う。終端コントロールパネル一時表示ＯＮ設定により、図２１に示すように、表示エリア１１０に終端コントロールパネル２４０が表示されることになる。
【０１６０】
終端コントロールパネル２４０は、リピート再生ボタン２４１、次コンテンツ再生開始ボタン２４２、連ドラ予約ボタン２４３、次回予約ボタン２４４、及び、持ち出し予約ボタン２４５を備え、ボタンがタップされた場合には次に説明するボタンの機能に応じてレコーダ３０に対して必要な指示が送信される。リピート再生ボタン２４１は、視聴が完了した録画コンテンツ２１０をもう一度、最初から再生するためのボタンである。次コンテンツ再生開始ボタン２４２は、視聴が完了した録画コンテンツ２１０の次の録画コンテンツを再生するためのボタンである。連ドラ予約ボタン２４３は、視聴が完了した録画コンテンツ２１０を次回から毎回（毎週、毎日、毎月曜〜金曜等の放送周期に合わせて同番組を繰り返し）録画するためのボタンである。次回予約ボタン２４４は、視聴が完了した録画コンテンツ２１０を次回のみ録画するためのボタンである。持ち出し予約ボタン２４５は、視聴が完了した録画コンテンツ２１０を持ち出し予約するためのボタンである。
【０１６１】
制御部１１は、ステップＳ１７７においてリストタブ操作があったか否かを判定する。具体的には、制御部１１は、ソートボタンがタップされたか否かを判定している。制御部１１は、リストタブ操作がない場合、ステップＳ１７９に移行する。一方、制御部１１は、リストタブ操作があった場合、ステップＳ１７８に移行し、カスタマイズメニュー表示ＯＮ設定を行う。これにより、図２２に示すように、コンテンツリストエリア１０２の左上の所定の領域にカスタマイズメニュー画面２３１が表示される。
【０１６２】
カスタマイズメニュー画面２３１は、コンテンツリストを所定の条件でソートやフィルタリングするためのメニューであり、図２２の例では、「新着順」、「古い順」、「長い順」、「人気」、「通常録画」、「おまかせ録画」、「３０分以内」及び「１０分以内」を条件としてソートやフィルタリングすることができることを示している。
【０１６３】
制御部１１は、ステップＳ１７９において、カスタマイズ操作があったか否かを判定する。具体的には、制御部１１は、カスタマイズメニュー画面２３１の各ボタンのいずれかがタップされたか否かを判定している。制御部１１は、カスタマイズ操作がなかった場合、ステップＳ１８１に移行する。一方、制御部１１は、カスタマイズ操作があった場合、ステップＳ１８０に移行し、リスト表示ＯＮ設定を行う。例えば、ユーザが録画コンテンツを古い順にソートするための「古い順」ボタンをタップした場合、制御部１１は、録画時期の古い順に録画コンテンツを並び替えてコンテンツリストエリア１０２の上から順に表示する。また、例えば、ユーザが「３０分以内」ボタンをタップした場合、制御部１１は、コンテンツの時間（又は視聴残り時間）が３０分以内のコンテンツよりなるコンテンツリストをコンテンツリストエリア１０２の上から順に表示する。このカスタマイズ操作により、ユーザが視聴したいコンテンツの選択が極めて容易になる。
【０１６４】
制御部１１は、ステップＳ１８１においてオプションボタン操作があったか否かを判定する。具体的には、制御部１１は、オプションボタン２２４がタップされた否かを判定している。制御部１１は、オプションボタン操作がなかった場合、ステップＳ１８３に移行する。一方、制御部１１は、オプションボタン操作があった場合、ステップＳ１８２に移行し、オプション表示ＯＮ設定を行う。これにより、図２３に示すように、オプションボタン２２４がタップされた録画コンテンツ２２０ｃの下にオプション画面２５０が表示される。
【０１６５】
制御部１１は、ステップＳ１８３においてオプション操作があったか否かを判定する。具体的には、制御部１１は、オプション画面２５０の各ボタンのいずれかがタップされたか否かを判定している。制御部１１は、オプション操作がなかった場合、ステップＳ１２０に移行する。一方、制御部１１は、オプション操作があった場合、ステップＳ１８４に移行し、オプション表示ＯＦＦ設定を行い、ステップＳ１２０に移行する。これにより、オプションボタン２２４がタップされた録画コンテンツ２２０ｃの下からオプション画面２５０が消えることになる。
【０１６６】
宅内には複数の情報端末装置１０が存在する場合が考えられるが、オプション画面２５０中「次回放送から持ち出す」等、持ち出しの予約がなされた場合、この持ち出しの予約を行った１台の情報端末装置１０のみに、持ち出しの予約が適用される。よって、レコーダ３０は、情報端末装置１０毎に持ち出しの予約を管理することとなる。こうすることにより、複数の情報端末装置１０に対して細かな持ち出しの予約を行うことができる。
【０１６７】
図９のリアルタイム視聴モードの表示設定情報の更新処理では、放送種別を切り換えるために、ステップＳ１３１〜ステップＳ１３４の処理を実行していたが、図１６の録画番組視聴モードの表示設定情報の更新処理では、放送種別を切り換える必要がないため、図９のステップＳ１３１〜ステップＳ１３４の処理は削除されている。
【０１６８】
次に、図１７及び図１８を参照してデータ送信・要求判定処理について説明する。
【０１６９】
制御部１１は、図１７のステップＳ１４１において表示エリア１１０でスワイプ操作がなかった場合、ステップＳ１９１に移行する。一方、制御部１１は、スワイプ操作があると、ステップＳ１４２に移行し、スワイプの向きに応じたデータをレコーダ３０に要求する。これにより、表示エリア１１０に表示する録画コンテンツを切り換えることができる。
【０１７０】
制御部１１は、図１７のステップＳ１９１においてチャプタ操作があったか否かを判定する。具体的には、制御部１１は、チャプタ切り換えボタン２１３がタップされた否かを判定している。制御部１１は、チャプタ操作がなかった場合、ステップＳ１４５に移行する。一方、制御部１１は、チャプタ操作があった場合、ステップＳ１９２に移行し、指定チャプタ位置からのデータをレコーダ３０に要求し、ステップＳ１４５に移行する。ステップＳ１４５〜ステップＳ１５２の処理は、リアルタイム視聴モードと同様である。録画番組視聴モードでは放送種別を切り換える必要がないため、図１７の処理では図１０に対してステップＳ１５５及びステップＳ１５６の処理が削除されている。そのため、ステップＳ１５２の処理が実行されると、ステップＳ１５７の処理に移行する。ステップＳ１５７〜ステップＳ１６２の処理は、リアルタイム視聴モードと同様である。
【０１７１】
図１７のステップＳ１９３において、制御部１１は、電話機能による通話が開始されたか又は一時停止の操作があったか否かを判定する。制御部１１は、通話が開始されていない、かつ、一時停止の操作がなかった場合、ステップＳ１９４に移行する。一方、制御部１１は、通話が開始された、又は、一時停止の操作があった場合、ステップＳ１６４に移行し、データの停止をレコーダ３０に要求する。これにより、通話中又は一時停止中は、録画コンテンツの再生を一時停止し、音声をミュートする。
【０１７２】
制御部１１は、図１７のステップＳ１９４において通話が終了したか又は再開（一時停止を解除して再生を再開）の操作があったか否かを判定する。制御部１１は、通話が終了していない、かつ、再開の操作がなかった場合、ステップＳ１４１に移行する。一方、制御部１１は、通話が終了した、又は、再開の操作があった場合、ステップＳ１６６に移行し、通話が開始されたときにレコーダ３０が停止した停止位置からのデータをレコーダ３０に要求し、図１８のステップＳ２０１に移行する。これにより、一時停止した位置から続けて録画コンテンツを再生することができる。なお、変形例としては通話前からコンテンツを録画していた場合には、通話が開始されたときの停止した停止位置から数秒前（例えば１５秒）に遡った位置からのデータをレコーダ３０に要求してもよい。こうすることにより通話前のコンテンツについても重複して視聴することができるため、コンテンツのストーリーの流れを把握し易くなるという効果を得ることができる。
【０１７３】
制御部１１は、図１８のステップＳ２０１において、リピート操作があったか否かを判定する。具体的には、制御部１１は、終端コントロールパネル２４０のリピート再生ボタン２４１がタップされた否かを判定している。制御部１１は、リピート操作がなかった場合、ステップＳ２０３に移行する。一方、制御部１１は、リピート操作があった場合、視聴が完了した録画コンテンツの先頭位置からのデータをレコーダ３０に要求する。これにより、ユーザは視聴が完了した録画コンテンツを再度最初（頭）から視聴することができる。
【０１７４】
制御部１１は、図１８のステップＳ２０３において、次回予約操作があった否かを判定する。具体的には、制御部１１は、終端コントロールパネル２４０の次回予約ボタン２４４がタップされた否かを判定している。制御部１１は、次回予約操作がなかった場合、ステップＳ２０５に移行する。一方、制御部１１は、次回予約操作があった場合、ステップＳ２０４に移行し、次回予約をレコーダ３０に要求する。
【０１７５】
制御部１１は、図１８のステップＳ２０５において、連ドラ予約操作があったか否かを判定する。具体的には、制御部１１は、終端コントロールパネル２４０の連ドラ予約ボタン２４３がタップされたか否かを判定している。制御部１１は、連ドラ予約操作がなかった場合、ステップＳ２０７に移行する。一方、制御部１１は、連ドラ操作予約があった場合、ステップＳ２０６に移行し、連ドラ予約をレコーダ３０に要求する。
【０１７６】
制御部１１は、図１８のステップＳ２０７において、持ち出し予約操作があった否かを判定する。具体的には、制御部１１は、終端コントロールパネル２４０の持ち出し予約ボタン２４５がタップされた否かを判定している。制御部１１は、持ち出し予約操作がなかった場合、ステップＳ２０９に移行する。一方、制御部１１は、持ち出し予約操作があった場合、ステップＳ２０８に移行し、持ち出し予約をレコーダ３０に要求する。
【０１７７】
制御部１１は、図１８のステップＳ２０９において、リストカスタマイズ操作があったか否かを判定する。具体的には、制御部１１は、カスタマイズ用ボタン２３０がタップされた否かを判定している。制御部１１は、リストカスタマイズ操作がなかった場合、ステップＳ２１１に移行する。一方、制御部１１は、リストカスタマイズ操作があった場合、ステップＳ２１０に移行し、カスタイマイズ要求に従ったリスト要求をレコーダ３０に対して行う。
【０１７８】
制御部１１は、図１８のステップＳ２１１において、オプション操作があったか否かを判定する。具体的には、制御部１１は、オプションボタン２２４がタップされた否かを判定している。制御部１１は、オプション操作がなかった場合、図１７のステップＳ１４１に移行する。一方、制御部１１は、オプション操作があった場合、ステップＳ２１２に移行し、オプション操作に従った要求をレコーダ３０に対して行い、図１７のステップＳ１４１に移行する。
（持ち出し番組視聴モード）
次に、図２４〜図２８を参照して持ち出し番組視聴モードについて説明する。
【０１７９】
図２４は、図８のステップＳ１１１の表示設定情報の更新処理の持ち出し番組視聴モードの例を示すフローチャートである。図２５は、図７のステップＳ１０５のデータ送信・要求判定処理の持ち出し番組視聴モードの例を示すフローチャートである。なお、図２４において、図１６と同様の処理については同一の符号を付して説明を省略する。また、図２５において、図１８と同様の処理については同一の符号を付して説明を省略する。図２６〜図２８は持ち出し番組視聴モードの画面表示を説明するための説明図である。
【０１８０】
図２６は、持ち出し番組視聴モード用の画面を示している。なお、図２６に示す持ち出し番組視聴モード用の画面において、図１９に示す録画番組視聴モード用の画面と同様の構成については、同一の符号を付して説明を省略する。
【０１８１】
図２６に示すように、ＬＣＤ１６に表示される画面３００は、上側の所定の領域にビューワエリア１０１を備え、下側の所定の領域にコンテンツリストエリア１０２を備える。持ち出し番組視聴モードは、メモリ１２に記憶されているコンテンツを再生して視聴するためのモードであり、持ち出し番組視聴モードに遷移すると、制御部１１は、持ち出し設定情報に基づいて、メモリ１２に記憶されているコンテンツ（持ち出し番組）の読み出しを行う。なお、制御部１１は、端末レジューム情報に基づいて、前回の視聴時に最後に視聴した持ち出し番組の読み出しを行うようになっていてもよい。制御部１１は、持ち出し番組視聴モードへの移行直後は、初期の表示設定情報に基づいて、ビューワエリア１０１及びコンテンツリストエリア１０２の表示を行う。
【０１８２】
ビューワエリア１０１の表示エリア１１０は、選択されている持ち出し番組３１０のプレビューを表示するとともに、選択されている持ち出し番組３１０の上側に前の持ち出し番組３１１の一部、例えば、下側の一部を表示し、選択されている持ち出し番組３１０の下側に後の持ち出し番組３１２の一部、例えば、上側の一部を表示する。なお、前の持ち出し番組３１１及び後の持ち出し番組３１２は、コンテンツリストエリア１０２の表示順の上下の持ち出し番組のことである。
【０１８３】
持ち出し番組視聴モードでは、ＣＭカット状態での持ち出し、又は、ＣＭカットしていない状態での持ち出しが可能である。ＣＭカット状態で持ち出しが行われた場合、チャプタの場所を示すチャプタポイント３１３のみを備えるタイムバー３１４がビューワエリア１０１に表示される。
【０１８４】
ＣＭカットしていない状態で持ち出しが行われた場合、タイムバーは、チャプタポイント３１３のみを備えるタイムバー３１４に代え、録画番組視聴モード時のタイムバー、即ち、図１９に示すタイムバー１１５がビューワエリア１０１に表示される。但し、持ち出し番組視聴モードでは、チャプタを跨いだ際の動作が録画番組視聴モード時と異なり、スキップ補助機能を有していない。具体的には、持ち出し番組視聴モードでは、チャプタを跨いだ際に図１９のチャプタ切り換えボタン２１３が表示されない。しかし、変形例としてはスキップ補助機能を有し、持ち出し番組視聴モードでも図１９のチャプタ切り換えボタン２１３を表示するようにしてもよい。
【０１８５】
コンテンツリストエリア１０２には、現在視聴可能な持ち出し番組、すなわち、複数の持ち出し番組３２０ａ、３２０ｂ、・・・、３２０ｈがリスト表示される。このように、持ち出し番組視聴モードでは、持ち出し確認リストを表示することができる。なお、持ち出し確認リストは、持ち出し番組視聴モード以外の他のモードでも表示することができる。更に、各視聴モード以外の場合であっても持ち出し確認リストを表示することができるようになっていてもよい。各持ち出し番組３２０ａ、３２０ｂ、・・・、３２０ｈに表示される内容は、録画番組視聴モード時と同様である。例えば、持ち出し番組３２０ｃには、コンテンツのサムネイル画像２２１、コンテンツタイトル２２２、放送日２２３、オプションボタン２２４、時短時間２２５、及び、コンテンツの詳細説明２２６が表示される。
【０１８６】
持ち出し番組視聴モードでは、メモリ１２の記憶容量の関係から持ち出し番組の絶対数が少ないことが考えられる。このため持ち出し番組視聴モードでは、図１９のコンテンツリストエリア１０２に設けられたカテゴリタブ２３２を設けないようにする。ただし、おすすめ持ち出しに対応した場合、図２６に示すように、セレクトタブ及びおすすめタブを設ける。
【０１８７】
また、コンテンツリストエリア１０２の上側の所定の位置には、録画番組視聴モードと同様に、リスト表示する持ち出し番組をカスタマイズするためのカスタマイズ用ボタン２３０が表示されている。ユーザは、カスタマイズ用ボタン２３０をタップし、図２７に示すカスタマイズメニュー画面２３１からコンテンツリストエリア１０２に表示する持ち出し番組をカスタマイズすることができる。図２７の例では、新着順が選択されており、持ち出し番組がコンテンツリストエリア１０２の上側から新着順に表示されている。
【０１８８】
また、オプションボタン２２４がタップされると、図２８に示すように、オプションボタン２２４がタップされた持ち出し番組３２０ｃの下にオプション画面３５０が表示される。ユーザは、このオプション画面３５０の所望の項目をタップし、持ち出し番組の削除、持ち出しリストから削除又は追加、連ドラ予約等の操作を行うことができる。
【０１８９】
持ち出し番組視聴モードでは、基本的にＣＭカットがされた状態で持ち出されるため、制御部１１は、チャプタの境界の検出を行わない。そのため、図２４のフローチャートでは、図１６の録画番組視聴モードから、チャプタ境界を検出するステップＳ１７３の処理と、チャプタ切換え表示ＯＮ設定を行うステップＳ１７４の処理が削除されている。その他の処理は、録画番組視聴モード時と同様であり、説明を省略する。
【０１９０】
また、持ち出し番組視聴モードのデータ送信・要求判定処理においては、図１７のステップＳ１６６の処理の次に図２５のステップＳ２１３の判定が行われる。制御部１１は、ステップＳ２１３において、持ち出し番組の削除操作があったか否かを判定する。具体的には、制御部１１は、オプション画面３５０から削除、又は、持ち出しリストから削除の項目がタップされたか否かを判定している。制御部１１は、削除操作がなかった場合、ステップＳ２０１に移行する。一方、制御部１１は、削除操作があった場合ステップＳ２１４に移行し、メモリ１２に記憶されている持ち出し番組の削除又はメモリ１２に記憶されている持ち出しリストからの削除を実行して、ステップＳ２０１に移行する。ステップＳ２０１〜ステップＳ２１０の処理は、録画番組視聴モードと同じであり、ステップＳ２０９又はステップＳ２１０の処理が行われた後、図１７のステップＳ１４１の処理に移行する。
（リモコンモード）
次に、図２９及び図３０を参照してリモコンモードについて説明する。図２９はリモコンモードを説明するためのフローチャートであり、図３０はリモコンモードにおける画面表示を説明するための説明図である。
【０１９１】
制御部１１は、各視聴モードにおいてキャストボタン操作が行われると、リモコンモードに移行する。なお、リモコンモードに移行する前提として、情報端末装置１０は、宅内５１内に配置されて、レコーダ３０及びテレビジョン受信機５２との間でＬＡＮ（ＷｉＦｉ）等により通信が可能である必要がある。情報端末装置１０が宅外に配置されている場合等のように、この通信が不能の場合には、キャストボタン１４４は表示されずリモコンモードへの遷移は不能となっている。
【０１９２】
キャストボタン１４４がタップされると、ビューワエリア１０１に表示中のコンテンツを外部のモニタ、例えばテレビジョン受信機５２に出力し、情報端末装置１０はリモコンモードに移行し、再生制御が可能となる。即ち、リモコンモードにおいては、制御部１１は、ステップＳ２２１において、レコーダ３０にコンテンツ送信宛先をテレビジョン受信機５２に変更する要求をする。これにより、レコーダ３０の連携データ処理部４６は、コンテンツ情報の出力先を情報端末装置１０からテレビジョン受信機５２に変更する。これにより、各視聴モードにおいて、キャストボタン１４４をタップするという簡単な操作のみによって、情報端末装置１０のＬＣＤ１６の表示画面に表示されていたコンテンツを、テレビジョン受信機５２の比較的大きなモニタ画面上に継続して表示することができる。
【０１９３】
情報端末装置１０の制御部１１は、次のステップＳ２２２において、リモコンモード用画面を作成して表示する。次に、制御部１１は、ステップＳ２２３において、リモコンモード用画面に対するユーザ操作の有無を判定する。制御部１１は、ユーザ操作がなければ処理をステップＳ２２５に移行し、ユーザ操作があると当該操作に応じたコマンドをレコーダ３０に送信する（ステップＳ２２４）。
【０１９４】
図３０は、リモコンモード時の画面を示している。図３０の例では、録画番組視聴モード中にリモコンモードに移行した例を示している。図３０に示すように、情報端末装置１０が縦向きの場合、ビューワエリア１０１がリモコン画面に切り換わり、コンテンツリストエリア１０２は、録画コンテンツがリスト表示される。ユーザは、コンテンツリストエリア１０２の所望の録画コンテンツをタップすることで、再生する番組録画コンテンツを切り換えることができる。なお、情報端末装置１０が横向きの場合には横向き用のリモコン画面を表示するようになっていてもよい。これにより、横向きであっても、違和感のないリモコン画面を表示することができる。この場合、ビューワエリア１０１に表示されているリモコン画面が全画面表示され、コンテンツリストエリア１０２に表示されている録画コンテンツのリストは表示されない。
【０１９５】
ビューワエリア１０１は、キャストボタン１４４、サムネイル４１０、チャプタサムネイル４１１ａ〜４１１ｆ、タイムバー４１２、１０秒戻しボタン４１３、停止／再生ボタン４１４、チャプタジャンプ用ボタン４１５、３０秒スキップボタン４１６、ボリュームバー４１７、及び、複数の放送局ロゴ２１５を備える。
【０１９６】
キャストボタン１４４は、リモコンモードを終了するためのボタンであり、ユーザによってリモコンモード中にキャストボタン１４４がタップされると、リモコンモードとなる前の、元の視聴モードに移行する。
【０１９７】
サムネイル４１０には、外部のモニタに表示中のコンテンツのサムネイル画像が表示される。このサムネイル画像としてはコンテンツリストエリア１０２に表示されている録画コンテンツのサムネイルと同じものとする。サムネイル４１０の下側にはチャプタサムネイル４１１ａ〜４１１ｆが表示される。チャプタサムネイル４１１ａ〜４１１ｆの領域を左右にスワイプ操作することで、ビューワエリア１０１に表示するチャプタサムネイル４１１ａ〜４１１ｆを切り換える。そして、ユーザは、所望のチャプタサムネイルをタップすることで、このタップしたチャプタサムネイルに応じた位置に再生位置を変更することができる。なお、チャプタサムネイル４１１ａ〜４１１ｆは録画コンテンツ（タイムシフト録画中のコンテンツ及び持ち出し番組も含む）を視聴中のみ表示される。
【０１９８】
タイムバー４１２には、現在の再生位置を示すスライダ＆インジケータ４１２ａが表示される。ユーザがスライダ＆インジケータ４１２ａを左右にスライドさせることにより再生位置を変更することができる。
【０１９９】
１０秒戻しボタン４１３は、再生位置を１０秒戻すためのボタンであり、停止／再生ボタン４１４は、録画コンテンツの一時停止又は再生を指示するためのボタンであり、チャプタジャンプ用ボタン４１５は、チャプタを切り換えるためのボタンであり、３０秒スキップボタン４１６は、再生位置を３０秒進めるためのボタンである。チャプタジャンプ用ボタン４１５は、例えば、録画コンテンツを視聴中にＣＭに突入した際に表示し、ユーザにＣＭスキップを操作されるようにする。なお、持ち出し番組視聴モード（持ち出し番組を視聴）時にはＣＭがカットされているため、チャプタジャンプ用ボタン４１５は表示しない。また、１０秒戻しボタン４１３、停止／再生ボタン４１４、及び、３０秒スキップボタン４１６は、録画コンテンツを視聴中のみ表示される。
【０２００】
ボリュームバー４１７には、音量を変更するためのボタン４１７ａが表示される。ユーザがボタン４１７ａを左右にスライドさせることにより音量を変更することができる。リアルタイム視聴モードからリモコンモードに遷移した場合には、ボリュームバー４１７の下側に各放送局の放送局ロゴ１２５が表示される。ユーザは所望の放送局ロゴ１２５をタップすることで、所望の放送局に切換えてコンテンツを表示させることができる。
【０２０１】
図２９において、制御部１１は、ステップＳ２２５において、情報端末装置１０による通話が開始されたか否かを判定する。制御部１１は、通話が開始されていない場合には処理をステップＳ２２７に移行する。情報端末装置１０が通話機能を有している場合には、通話を妨げないように、視聴中のコンテンツの音声を小さくした方がよい。そこで、本実施の形態においては、通話時に、各視聴モードにおいてスピーカ１８からの音声を小さくするだけでなく、リモコンモードにおいてテレビジョン受信機５２にコンテンツを表示させている場合においても、テレビジョン受信機５２からの音声を小さくするように、ミュートコマンドをテレビジョン受信機５２に対して送信する（ステップＳ２２６）。
【０２０２】
制御部１１は、図２９のステップＳ２２７において、電話機能による通話が終了したか否かを判定する。制御部１１は、通話が終了していなければ、処理をステップＳ２２９に移行する。一方、制御部１１は通話が終了すると、ステップＳ２２８においてミュート解除信号をテレビジョン受信機５２に送信した後、処理をステップＳ２２９に移行する。
【０２０３】
制御部１１は、図２９のステップＳ２２９において、キャストボタン操作の有無を判定する。制御部１１は、キャストボタン操作が行われていなければ、処理をステップＳ２２３に戻して、ステップＳ２２３〜Ｓ２２９を繰り返す。制御部１１は、キャストボタン操作が行われると、ステップＳ２３０に移行して、レコーダ３０にコンテンツ送信宛先を情報端末装置１０に変更する要求を発生する。これにより、レコーダ３０の連携データ処理部４６は、コンテンツ情報の出力先をテレビジョン受信機５２から情報端末装置１０に戻す。
【０２０４】
制御部１１は、図２９のステップＳ２３１において、元の視聴モードを設定する。これにより、各視聴モードにおいて、テレビジョン受信機５２のモニタ画面上に表示されていたコンテンツは、情報端末装置１０のＬＣＤ１６の表示画面に継続して表示されるようになる。
（予約モード）
次に、図３１乃至図３３を参照して予約モードについて説明する。図３１乃至図３３は予約モードを説明するための説明図である。
【０２０５】
図３１は、予約モード時のリスト表示形式の画面を示している。予約モードは、メニューモード時に予約ボタンがタップされることにより移行する。予約モードでは、未来番組をカテゴリ別に分類して表示することができる。ユーザは、この予約モードを用いて、宅内及び宅外において、コンテンツを選択し所望のコンテンツ、すなわち、未来番組を予約することが可能となる。
【０２０６】
図３１に示すように、予約モード時における画面５００は、複数のカテゴリボタンが表示されるカテゴリタブ５１０を備える。複数のカテゴリボタンは、おすすめボタン５１１、人気ボタン５１２、番宣ボタン５１３、及び、すべてボタン５１４を少なくも備える。さらに、複数のカテゴリボタンは、スポーツ、ドラマ、バラエティー等のコンテンツのジャンルに対応したカテゴリボタンを備える。ユーザは、カテゴリタブ５１０を左右にスワイプ操作することで、表示するカテゴリボタンを変更（左右にスライド表示）することができる。そして、ユーザは、所望のカテゴリボタンをタップすることで、このタップしたカテゴリボタンに応じたカテゴリに表示するカテゴリを変更する。
【０２０７】
例えば、おすすめボタン５１１がユーザによってタップされると、カテゴリタブ５１０の下側に、ユーザへのおすすめのコンテンツ５２０〜５３１がリスト表示される。おすすめボタン５１１の直ぐ下に横線が引かれているが、この横線はおすすめのタグが選択されている（フォーカスが当てられている）ことを示すマークである。ユーザは、リスト表示されている領域を上下方向にスワイプ操作することで、表示するコンテンツを変更することができる。ユーザへのおすすめのコンテンツ５２０〜５３１は、例えば過去の予約履歴等から、よく予約を行っているジャンル（スポーツ、ドラマ）及び人物がレコーダ３０により割り出され、自動的に抽出されるものである。ユーザは、ユーザへのおすすめのコンテンツ５２０〜５３１から所望のコンテンツをタップすることで、このタップしたコンテンツの予約を行う。
【０２０８】
また、カテゴリタブ５１０の右上には検索ボタン５１５が表示される。ユーザは検索ボタン５１５をタップすることで表示される検索キーワード入力エリアに人物、及び／または、キーワード等を直接文字入力することで、キーワードによる検索により絞られたコンテンツ、すなわち、未来番組を得することができる。
【０２０９】
また、番宣ボタン５１３は、番宣のＣＭや、番組に含まれる番宣部分のみをピックアップしたコンテンツ（あるコンテンツの一部分を１つのコンテンツとしたもの）を表示するためのボタンである。番組に含まれる番宣部分については、人力で入力されたメタデータをネットワーク経由でレコーダ３０が受信し、このメタデータを用いることで番組に含まれる番宣部分を１つのコンテンツの如く再生することが可能となる。
【０２１０】
図３２Ａは、番宣ボタンがタップされた際に表示される画面を示している。図３２Ｂは、番宣サムネイルがタップされた際に表示される画面を示している。
【０２１１】
番宣ボタン５１３がタップされると、図３２Ａの画面に移行する。図３２Ａの画面５００では、カテゴリタブ５１０の下側に番宣部分のみをピックアップしたコンテンツ５４０、５４１、５４２、・・・、が表示される。これらのコンテンツ５４０、５４１及び５４２には、それぞれ番宣サムネイル５４０ａ、５４１ａ及び５４２ａが表示される。ユーザは、番宣サムネイル５４０ａ、５４１ａ及び５４２ａのいずれかをタップすることで、図３２Ｂの画面に移行する。
【０２１２】
図３２Ｂの画面５００では、タップされた番宣サムネイル、すなわち、図３２Ａの番宣サムネイル５４０ａ、５４１ａ及び５４２ａのいずれかに対応した番宣の動画を表示する番宣エリア５５０を備える。番宣エリア５５０の下側には、コンテンツの詳細な情報５５１が表示される。さらに、コンテンツの詳細な情報５５１の下側には、表示されている番宣に対応したコンテンツを、録画予約するための録画予約ボタン５５２、連ドラ予約するための連ドラ予約ボタン５５３及び、持ち出し予約するための持ち出し予約ボタン５５４を備える。ユーザは、番宣エリア５５０に流れる動画、及び、コンテンツの詳細な情報５５１を確認し、気に入ったコンテンツであれば、録画予約ボタン５５２、連ドラ予約ボタン５５３又は持ち出し予約ボタン５５４をタップすることで、録画予約、連ドラ予約又は持ち出し予約を容易に行うことができる。なお、この録画予約、連ドラ予約又は持ち出し予約するための情報（例えば放送日時、放送チャンネル、番組タイトル、放送周期等）については、例えば予めレコーダ３０により各コンテンツのメタデータとして記録しておき、この情報を用いて連ドラ予約又は持ち出し予約してもよい。また、精度は落ちるかもしれないが、レコーダ３０によりテロップ等や受信チャンネルから自動的に連ドラ予約又は持ち出し予約するための情報を生成するようにしてもよい。
【０２１３】
なお、番宣ボタン５１３がタップされた際の制御は、上記説明に限定されるものではない。例えば、図３１の画面５００において番宣ボタン５１３がタップされた場合、図３２Ｂの画面５００に移行するようにしてもよい。そして、番宣エリア５５０に複数の番宣の動画を順次表示するようにしたり、番宣部分のみをピックアップしたコンテンツ５４０、５４１、５４２、・・・、のエリアを左右にスワイプ操作することで複数の複数の番宣の動画を順次表示するようにしてもよい。ユーザは、順次表示される番宣を見ながら、録画予約ボタン５５２、連ドラ予約ボタン５５３又は持ち出し予約ボタン５５４をタップすることで、対応するコンテンツを録画予約、連ドラ予約又は持ち出し予約することができる。
【０２１４】
なお、予約モード時における画面５００は、図３１に示すリスト形式に限定されるものではない。図３３は、予約モード時の放送時間軸とチャンネル軸を持ったラテ欄形式の番組表の画面を示している。予約モード時における画面５６０は、図３３に示すように、複数のコンテンツ５７０ａ、５７０ｂ、５７０ｃ、５７０ｄ、・・・、を番組表形式で表示する画面でもよい。
【０２１５】
予約モード時における画面５６０は、放送種別（地上デジタル放送、ＢＳ放送、ＣＳ放送）を切り換えるための放送種別選択ボタン５７１、及び、予約日時を切り換えるための日時選択ボタン５７２を備える。
【０２１６】
ユーザが放送種別選択ボタン５７１をタップして希望の放送種別を、例えば図１５と同様に放送種別選択画面１３２を表示させて選択し、日時選択ボタン５７２をタップして希望の予約日時を選択すると、これら選択に対応する番組表が画面５６０に表示される。ユーザは、番組表が表示されているエリアを上下方向、左右方向にスワイプ操作することで画面５６０に表示するコンテンツを変更することができる。ユーザは、画面５６０に表示されている番組表から所望のコンテンツ、例えば、コンテンツ５７０ａをタップし、例えば図３２Ｂのような画面からコンテンツの予約を容易に行うことができる。
【０２１７】
なお、図３１の画面５００は、カテゴリタブ５１０に番宣ボタン５１３を備える構成であるが、これに限定されることなく、カテゴリタブ５１０に番宣ボタン５１３を備えない構成であってもよい。この場合、図３１のリスト表示されているコンテンツ５２０〜５３１の中に番宣情報が含まれているコンテンツは、番宣アイコンを表示する。図３１の例では、コンテンツ５２０及び５２２に番宣情報が含まれている。そのため、コンテンツ５２０及び５２２にそれぞれ番宣アイコン５２０ａ及び５２２ａが表示されている。例えば、番宣アイコン５２０ａが表示されているコンテンツ５２０をユーザがタップすると、図３２Ｂの画面５００が表示され、番宣エリア５５０に番宣の動画が表示（再生）される。ユーザは、表示される番宣を見ながら、録画予約ボタン５５２、連ドラ予約ボタン５５３又は持ち出し予約ボタン５５４をタップすることで、対応するコンテンツを録画予約、連ドラ予約又は持ち出し予約することができる。
【０２１８】
なお、図３３の番組表、すなわち、図３３の画面５６０に番宣アイコンを表示するようにしてもよい。図３３の例では、コンテンツ５７０ｂに番宣情報が含まれており、コンテンツ５７０ｂが表示されている欄に番宣アイコン５７３が表示されている。番宣アイコン５７３が表示されているコンテンツ５７０ｂをユーザがタップすることで、上記と同様に、図３２Ｂの画面５００が表示され、番宣エリア５５０に番宣の動画が表示（再生）される。ユーザは、図３２Ｂの画面５００から対応するコンテンツを録画予約、連ドラ予約又は持ち出し予約することができる。
（メニューモード）
次に、図３４を参照してメニューモードについて説明する。図３４はメニューモードにおける画面（メニュー画面）６００を示す説明図である。メニュー画面６００には、各モードをそれぞれ選択するための複数の選択領域６０２〜６０７が設けられている。各視聴モード及び予約モードにおいて、各モードの画面左上端に配置されているメニューアイコン１１１（図１１〜図１３等）をタップすることで、メニューモードに移行してメニュー画面６００を表示させることかできる。このメニューモードでは、メニュー画面６００は各モードの画面の上に重畳して表示され、図３４では右端にメニューモードになる前の各モードの画面の右端部が表示されている。
【０２１９】
図３４の例では、メニュー画面６００は、情報端末装置１０を使用中のユーザを示すユーザネーム領域６０１、リアルタイム視聴モード（ＬＩＶＥ）を選択するための選択領域６０２、録画番組視聴モード（録画）を選択するための選択領域６０３、持ち出し番組視聴モード（持ち出し）を選択するための選択領域６０４、予約モード（予約）を選択するための選択領域６０５、設定を選択するための選択領域６０６及びユーザのアカウント設定を選択するための選択領域６０７を有している。これらの各選択領域６０２〜６０７上をタップすることで、対応するモードを実行させることが可能である。また、メニュー画面６００にはメニューモードの終了ボタン６０８も表示されており、終了ボタン６０８をタップ操作することで、メニューモードを終了させることができるようになっている。
（自動持ち出しモード）
次に、図３５及び図３６を参照して自動持ち出しモードについて説明する。
【０２２０】
図３５及び図３６は自動持ち出しモードを説明するためのフローチャートであり、図３５は情報端末装置１０の処理を示し、図３６はレコーダ３０の処理を示している。
【０２２１】
本実施の形態においては、情報端末装置１０は、システムＡＰＩ（Application Programming Interface）を利用することで、持ち出し番組を自動的に取得する自動持ち出しモードでの動作が可能である。
【０２２２】
情報端末装置１０においては、制御部１１が、図３５のステップＳ２４１において宅内に存在しているか否かを判定する。宅内に存在する場合には、制御部１１は、ステップＳ２４２においてレコーダ３０との接続要求を行う。ステップＳ２４１，Ｓ２４２は、図５ＡのステップＳ２の宅内判定と同様の判定を行うものであり、情報端末装置１０の通信部１３とレコーダ３０のネットワーク処理部４４による通信が、可能か否かが判定される。
【０２２３】
他方、レコーダ３０のネットワーク処理部４４は、図３６のステップＳ２６１において、接続要求の有無を判定しており、接続要求がなかった場合にはステップＳ２６１へ移行する。一方、ネットワーク処理部４４は、接続要求があった場合には接続のための通信を行い（ステップＳ２６２）、ステップＳ２６３へ移行する。ネットワーク処理部４４は、ステップＳ２６３において情報端末装置１０との接続が確立するまでステップＳ２６１〜Ｓ２６３の処理を繰り返し、登録された情報端末装置１０が接続されると、処理をステップＳ２６４に移行して持ち出し番組の有無を判定する。
【０２２４】
持ち出し番組としては、例えば、ユーザの嗜好情報に応じたレコーダ３０が自動的に選択する「おすすめ番組」とユーザが任意に選択した「任意持ち出し番組」の２種類がある。連携データ処理部４６は、持ち出し番組が記録媒体４５に記録されている場合には、ネットワーク処理部４４を制御して、持ち出し番組が存在することを示すプッシュ通知を情報端末装置１０に対して発行させる（ステップＳ２６５）。一方、連携データ処理部４６は、持ち出し番組が記録媒体４５に記録されていない場合には、ステップＳ２６１に移行する。
【０２２５】
情報端末装置１０の制御部１１は、ステップＳ２４２において接続要求を行った後、ステップＳ２４３においてプッシュ通知の有無を判定しており、プッシュ通知がない場合には処理をステップＳ２４１に戻し、プッシュ通知があった場合には、ステップＳ２４４へ移行し転送可否問い合わせ表示をＬＣＤ１６の表示画面にポップアップウィンドウとして表示する。
【０２２６】
制御部１１は、次のステップＳ２４５において、ポップアップウィンドウに対する転送要求操作が行われたか否かを判定する。制御部１１は、転送要求操作がなかった場合には処理をステップＳ２４１に戻し、転送要求操作があった場合には、次のステップＳ２４６において、視聴済みの持ち出し番組がメモリ１２に記憶されているか否かを判定する。
【０２２７】
なお、上記した例では、転送可否問い合わせ表示をＬＣＤ１６の表示画面に表示させ、転送することについてユーザに確認をとったが、事前にユーザによって確認不要の設定がなされていれば、毎回ユーザの確認をとらないようにしてもよい。こうすることにより、ユーザが宅内にいる間に、自動的に転送処理がなされるため、ユーザによる確認作業を軽減することができる。また、確認をとる場合には確認ができてからコンテンツの転送が開始されため、例えば急いで外出しなければならないときに転送可否問い合わせに気付いた場合、急いで外出できないという問題が発生する。しかし、事前にユーザによって確認不要の設定がなされていれば、毎回ユーザの確認をとらないため、急いで外出することができる。
【０２２８】
情報端末装置１０のメモリ１２の容量は比較的小さいことが考えられる。このため、新たな持ち出し番組を持ち出す場合には、視聴済みの持ち出し番組についてはメモリ１２から削除しておいた方がよい場合がある。そこで、制御部１１は、視聴済みであって且つ保護されていない持ち出し番組が存在する場合には、ステップＳ２４７において当該持ち出し番組を削除してステップＳ２４８に処理を移行する。これにより、比較的容量が小さいメモリ１２を採用した場合でも、持ち出し番組を記録できる可能性が高くなる。なお、制御部１１は、視聴済みの持ち出し番組が存在しない場合に、ステップＳ２４６からステップＳ２４８に処理を移行する。
【０２２９】
制御部１１は、ステップＳ２４８において、未視聴持ち出し番組がメモリ１２に記憶されているか否かを判定する。制御部１１は、未視聴持ち出し番組が存在しない場合には処理をステップＳ２５２に移行する。一方、制御部１１は、未視聴持ち出し番組が存在する場合には、ステップＳ２４９において、この未視聴持ち出し番組に対する削除の問い合わせ表示をＬＣＤ１６の表示画面上に表示させて削除操作の有無を判定する（ステップＳ２５０）。制御部１１は、削除操作がない場合には処理をステップＳ２５２に移行し、削除操作があった場合には、ステップＳ２５１において当該持ち出し番組をメモリ１２から削除した後、処理をステップＳ２５２に移行する。
【０２３０】
なお、制御部１１は、未視聴の「おすすめ番組」については自動的に削除し、未視聴の「任意持ち出し番組」については、削除しない等の制御も可能である。
【０２３１】
また、制御部１１は、メモリ１２の空き容量に応じて、メモリ１２に記憶されている持ち出し番組の削除や削除の問い合わせの表示を行ってもよい。例えば、制御部１１は、メモリ１２の空き容量によっては、視聴済みの持ち出し番組を削除しなくてもよい。また、制御部１１は、レコーダ３０から転送される持ち出し番組が、「おすすめ番組」であるか「任意持ち出し番組」であるかに基づいて、持ち出し番組の削除や削除の問い合わせの表示を行ってもよい。例えば、制御部１１は、メモリ１２の空き容量によっては、「おすすめ番組」の転送の優先順位を「任意持ち出し番組」等よりも低くしてもよく、また、ユーザが指定した「任意持ち出し番組」についてはなるべく転送されるように、メモリ１２に記憶されている持ち出し番組の削除を促す表示を行うようにしてもよい。また、制御部１１は、持ち出し番組の転送に必要な容量がメモリ１２に確保されていない場合には、「メモリ不足により転送できません」等のメッセージをＬＣＤ１６の表示画面上に表示させるようになっていてもよい。
【０２３２】
制御部１１は、ステップＳ２５２において、通信部１３を制御して、レコーダ３０に対する転送コマンドを発行して、持ち出し番組の転送を要求する。レコーダ３０の連携データ処理部４６は、転送コマンドを受信すると（Ｓ２６６）、持ち出し番組をネットワーク処理部４４から情報端末装置１０に転送させる（ステップＳ２６７）。ネットワーク処理部４４は、ステップＳ２６８において、転送終了と判定するまで、持ち出し番組の転送を継続し、転送が終わるとこの自動持ち出し処理を終了する。情報端末装置１０の制御部１１は、転送された持ち出し番組を受信してメモリ１２に記憶させる（ステップＳ２５３）。
【０２３３】
こうして、情報端末装置１０がレコーダ３０との間で通信可能なエリアに配置されると、プッシュ通知によって持ち出し番組の転送の可否を問い合わせ、ユーザの転送要求によって持ち出し番組を情報端末装置１０に転送することが可能である。このように、極めて簡単な操作によって持ち出し番組を転送することができる。
【０２３４】
制御部１１は、ステップＳ２５４において、持ち出し番組の転送に関するノーティフィケーションを発行する。例えば、「新たに、コンテンツXXXが転送されました。」等の文字列や、「あなたが良く見ているコンテンツXXXXが転送されました。」等の文字列や、「昨日予約していたコンテンツが転送されました。」等の文字列や、「コンテンツXXXが視聴途中です。」等の文字列をＬＣＤ１６の表示画面に表示させることができる。
【０２３５】
このノーティフィケーションによって、自動持ち出しに関する新着情報がある場合には、アプリケーションの起動中でなくても、ユーザに自動持ち出しに関する情報を提示することが可能である。
【０２３６】
なお、制御部１１は、自動持ちだしモードにおける持ち出し番組の転送に際して、ユーザ毎の設定を用いてもよい。例えば、レコーダ３０において、情報端末装置毎でユーザ毎に「おすすめ番組」や「任意持ち出し番組」が設定されている場合には、特定の情報端末装置１０を使用中のユーザに対応した持ち出し番組についてのみ、転送するようになっていてもよい。これにより、情報端末装置毎でユーザ毎に持ち出し番組の管理が可能である。
【０２３７】
また、制御部１１は、メモリ１２に記憶した持ち出し番組を削除禁止（保護）に設定した場合には、番組の削除禁止の情報をレコーダ３０に転送することで、レコーダ３０の対応する録画コンテンツを削除禁止に設定する、即ち削除禁止（保護）について同期するようになっていてもよい。これにより、ユーザはレコーダ３０において保護操作をわざわざ行う必要がなく、利便性に優れている。
（レジューム処理）
次に、図３７を参照してレジューム処理について説明する。図３７はレジューム処理を説明するためのフローチャートである。
【０２３８】
本実施の形態においては、レコーダ３０に録画した録画コンテンツを情報端末装置１０において視聴可能である。制御部１１は、再生終了時点における各録画コンテンツの再生位置をユーザ毎に端末レジューム情報としてメモリ１２に記録する。また、レコーダ３０を直接操作して、レコーダ３０に録画された録画コンテンツをテレビジョン受信機５２に出力することで、録画コンテンツの視聴が可能である。この場合には、記録再生処理部４２は、再生終了時点における各録画コンテンツの再生位置をユーザ毎にレコーダレジューム情報として記録媒体４５に記録する。
【０２３９】
本実施の形態においては、図３７のフローチャートに従って、端末レジューム情報とレコーダレジューム情報とを同期させることで、各ユーザは、情報端末装置１０において視聴した録画コンテンツの続きの再生位置からレコーダ３０の操作による再生を行うことが可能である。また、逆に、各ユーザは、レコーダ３０の操作によって視聴した録画コンテンツの続きの再生位置から情報端末装置１０においてコンテンツ再生を行うことができる。
【０２４０】
図３７のステップＳ２７０において、制御部１１は、情報端末装置１０が宅内に存在しているか否かを判定する。制御部１１は、情報端末装置１０が宅内に存在しない場合、ステップＳ２７１ｂにおいて、情報端末装置１０を使用中のユーザ及び再生する録画コンテンツの判定を行い、ステップＳ２７３に移行する。一方、制御部１１は、情報端末装置１０が宅内に存在する場合、ステップＳ２７１ａにおいて、情報端末装置１０を使用中のユーザ及び再生する録画コンテンツの判定を行う。制御部１１は、ステップＳ２７２において、判定した各ユーザ及び各録画コンテンツについて、レコーダ３０の記録媒体４５に記録されているレコーダレジューム情報とメモリ１２に記憶されている端末レジューム情報とを読み出して比較し、最新の情報に更新するレジューム同期処理を行い、ステップＳ２７３に移行する。
【０２４１】
即ち、制御部１１は、判定したユーザについて再生指示された録画コンテンツが、情報端末装置１０において最後に視聴された場合には端末レジューム情報でレコーダレジューム情報を更新し、レコーダ３０において最後に視聴された場合にはレコーダレジューム情報で端末レジューム情報を更新する。
【０２４２】
ステップＳ２７３において、制御部１１は再生指示が発生したか否かを判定する。即ち、制御部１１は、リアルタイム視聴モードにおいてタイムシフト再生の指示があったか否か、録画番組視聴モードへの移行が指示されたか否か又は持ち出しモードへの移行が指示されたか否かを判定する。制御部１１は、再生指示が発生しないとステップＳ２７３へ移行する。一方、制御部１１は、再生指示が発生すると、ステップＳ２７４において、同期処理後のレジューム位置から再生を開始する（ステップＳ２７４）。制御部１１は、ステップＳ２７５において再生終了まで待機し、再生が終了すると、ステップＳ２７６において終了位置を判定し、ステップＳ２７７において当該終了位置を端末レジューム情報として記録する。ステップＳ２７７の処理が完了すると、ステップＳ２７０に移行し、同様の処理を実行する。
【０２４３】
こうして本実施の形態においては、情報端末装置１０及びレコーダ３０のいずれにおいて再生視聴した場合では、前回終了した再生位置から連続して視聴可能である。
【０２４４】
このように本実施の形態においては、宅内で情報端末装置を操作する場合においてアプリケーションを起動すると、普通のテレビジョン受信機と同様に動作して、放送中コンテンツの視聴が可能となる。また、情報端末装置とレコーダとを協働して動作させることにより、情報端末装置において、テレビジョン放送の各視聴態様、即ちリアルタイムでの視聴、録画コンテンツの視聴及び持ち出し番組の視聴を、統一されたインタフェースを用いて簡単な操作で切換えながら視聴可能である。更に、情報端末装置とテレビジョン受信機との連携表示を可能にすることで、携帯性に優れた情報端末装置と大画面を有するテレビジョン受信機のそれぞれの利便性を併せ持ったシステムを構築することが可能である。
【０２４５】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【０２４６】
１０…情報端末装置、１１…制御部、１２…メモリ、１３…通信部、１５…表示制御部、１６…ＬＣＤ、１７…音声制御部、１８…スピーカ、２１…周辺デバイス制御部、２２…周辺デバイス、２２ａ…姿勢判定部。
【図１】
2018137629.tif 000003
【図２】
2018137629.tif 000004
【図３】
2018137629.tif 000005
【図４】
2018137629.tif 000006
【図５Ａ】
2018137629.tif 000007
【図５Ｂ】
2018137629.tif 000008
【図６】
2018137629.tif 000009
【図７】
2018137629.tif 000010
【図８】
2018137629.tif 000011
【図９】
2018137629.tif 000012
【図１０】
2018137629.tif 000013
【図１１】
2018137629.tif 000014
【図１２】
2018137629.tif 000015
【図１３】
2018137629.tif 000016
【図１４】
2018137629.tif 000017
【図１５】
2018137629.tif 000018
【図１６】
2018137629.tif 000019
【図１７】
2018137629.tif 000020
【図１８】
2018137629.tif 000021
【図１９】
2018137629.tif 000022
【図２０】
2018137629.tif 000023
【図２１】
2018137629.tif 000024
【図２２】
2018137629.tif 000025
【図２３】
2018137629.tif 000026
【図２４】
2018137629.tif 000027
【図２５】
2018137629.tif 000028
【図２６】
2018137629.tif 000029
【図２７】
2018137629.tif 000030
【図２８】
2018137629.tif 000031
【図２９】
2018137629.tif 000032
【図３０】
2018137629.tif 000033
【図３１】
2018137629.tif 000034
【図３２Ａ】
2018137629.tif 000035
【図３２Ｂ】
2018137629.tif 000036
【図３３】
2018137629.tif 000037
【図３４】
2018137629.tif 000038
【図３５】
2018137629.tif 000039
【図３６】
2018137629.tif 000040
【図３７】
2018137629.tif 000041